(57)【要約】【課題】インキ供給量の調整を素早く行えるようにする。【解決手段】インキキーに対応する領域毎の測定濃度差の方向（零を含む）を求め、全ての領域の測定濃度差の方向が同じ場合、インキツボローラの回転量を調整する。これにより、インキキーの開き量の調整だけではなく、インキツボローラの回転量の調整が行われ（インキキーによるインキ供給量の調整とインキツボローラによるインキ供給量の調整とが同時に行われ）、インキ供給量の調整が素早く行われるようになる。【選択図】  図９
2006116753.tif 000002
【特許請求の範囲】
【請求項１】
印刷物の濃度値を測定し、この測定した濃度値と予め設定されている基準濃度値との濃度差を求め、この求めた濃度差に基づいて刷版へのインキ供給量を調整する印刷機のインキ供給量調整方法において、
インキツボローラとこのインキツボローラの軸方向に並設された部分インキ供給部より前記刷版にインキを供給するインキ供給工程と、
前記印刷物の濃度値を前記部分インキ供給部に対応する領域毎に測定する濃度値測定工程と、
前記部分インキ供給部に対応する領域毎に測定された濃度値と予め設定されている基準濃度値との差を測定濃度差として求める濃度差演算工程と、
前記部分インキ供給部に対応する領域毎の測定濃度差に基づいて前記部分インキ供給部からのインキの供給量を調整する部分インキ供給量調整工程と、
前記部分インキ供給部に対応する領域毎の測定濃度差の方向を求め、全ての領域の測定濃度差の方向が同じ場合、前記インキツボローラの回転量を調整するインキツボローラ回転量調整工程と
を備えたことを特徴とする印刷機のインキ供給量調整方法。
【請求項２】
請求項１に記載された印刷機のインキ供給量調整方法において、
前記インキツボローラ回転量調整工程は、
前記部分インキ供給部に対応する領域毎の測定濃度差の平均値を求め、この求めた測定濃度差の平均値に応じて前記インキツボローラの回転量の調整値を求める
ことを特徴とする印刷機のインキ供給量調整方法。
【請求項３】
請求項１に記載された印刷機のインキ供給量調整方法において、
第１の許容濃度差を設定する工程と、
第２の許容濃度差を設定する工程と、
前記部分インキ供給部に対応する領域毎の測定濃度差と前記第１の許容濃度差とを比較し、測定濃度差が第１の許容濃度差より小さい部分インキ供給部については、その部分インキ供給部に対応する領域の測定濃度差又はその部分インキ供給部から供給するインキの調整値を零とする第１の修正工程と、
前記部分インキ供給部に対応する領域毎の測定濃度差と前記第２の許容濃度差とを比較し、測定濃度差が第２の許容濃度差より小さい部分インキ供給部については、その部分インキ供給部に対応する領域の測定濃度差又はその部分インキ供給部から供給するインキの調整値を零とする第２の修正工程と、
前記部分インキ供給部に対応する領域毎の測定濃度差と前記第１および第２の許容濃度差とを比較し、測定濃度差が第１の許容濃度差より小さい、又は、第２の許容濃度差より大きい部分インキ供給部については、その部分インキ供給部に対応する領域の測定濃度差又はその部分インキ供給部から供給するインキの調整値を零とする第３の修正工程と、
前記第１〜第３の修正工程の何れの工程によって修正を行うかを選択する工程と
を備えたことを特徴とする印刷機のインキ供給量調整方法。
【請求項４】
請求項１に記載された印刷機のインキ供給量調整方法において、
第１の許容濃度差を設定する工程と、
第２の許容濃度差を設定する工程と、
前記インキツボローラの回転量を調整する場合、前記部分インキ供給部に対応する領域毎の測定濃度差を補正する工程と、
前記部分インキ供給部に対応する領域毎の前記補正された測定濃度差と前記第１の許容濃度差とを比較し、補正された測定濃度差が第１の許容濃度差より小さい部分インキ供給部については、その補正された測定濃度差又はその部分インキ供給部から供給するインキの調整値を零とする第１の修正工程と、
前記部分インキ供給部に対応する領域毎の前記補正された測定濃度差と前記第２の許容濃度差とを比較し、補正された測定濃度差が第２の許容濃度差より小さい部分インキ供給部については、その補正された測定濃度差又はその部分インキ供給部から供給するインキの調整値を零とする第２の修正工程と、
前記部分インキ供給部に対応する領域毎の前記補正された測定濃度差と前記第１および第２の許容濃度差とを比較し、補正された測定濃度差が第１の許容濃度差より小さい、又は、第２の許容濃度差より大きい部分インキ供給部については、その補正された測定濃度差又はその部分インキ供給部から供給するインキの調整値を零とする第３の修正工程と、
前記第１〜第３の修正工程の何れの工程によって修正を行うかを選択する工程と
を備えたことを特徴とする印刷機のインキ供給量調整方法。
【請求項５】
請求項１に記載された印刷機のインキ供給量調整方法において、
本刷り開始前の色合わせ用の第１の許容濃度差を設定する工程と、
本刷り開始前の色合わせ用の第２の許容濃度差を設定する工程と、
本刷り中の色合わせ用の第１の許容濃度差を設定する工程と、
本刷り中の色合わせ用の第２の許容濃度差を設定する工程と、
前記部分インキ供給部に対応する領域毎の測定濃度差と前記本刷り開始前の第１の許容濃度差とを比較し、測定濃度差が本刷り開始前の第１の許容濃度差より小さい部分インキ供給部については、その部分インキ供給部に対応する領域の測定濃度差又はその部分インキ供給部から供給するインキの調整値を零とする本刷り開始前の第１の修正工程と、
前記部分インキ供給部に対応する領域毎の測定濃度差と前記本刷り開始前の第２の許容濃度差とを比較し、測定濃度差が本刷り開始前の第２の許容濃度差より小さい部分インキ供給部については、その部分インキ供給部に対応する領域の測定濃度差又はその部分インキ供給部から供給するインキの調整値を零とする本刷り開始前の第２の修正工程と、
前記部分インキ供給部に対応する領域毎の測定濃度差と前記本刷り開始前の第１および第２の許容濃度差とを比較し、測定濃度差が本刷り開始前の第１の許容濃度差より小さい、又は、第２の許容濃度差より大きい部分インキ供給部については、その部分インキ供給部に対応する領域の測定濃度差又はその部分インキ供給部から供給するインキの調整値を零とする本刷り開始前の第３の修正工程と、
前記部分インキ供給部に対応する領域毎の測定濃度差と前記本刷り中の第１の許容濃度差とを比較し、測定濃度差が本刷り中の第１の許容濃度差より小さい部分インキ供給部については、その部分インキ供給部に対応する領域の測定濃度差又はその部分インキ供給部から供給するインキの調整値を零とする本刷り中の第１の修正工程と、
前記部分インキ供給部に対応する領域毎の測定濃度差と前記本刷り中の第２の許容濃度差とを比較し、測定濃度差が本刷り中の第２の許容濃度差より小さい部分インキ供給部については、その部分インキ供給部に対応する領域の測定濃度差又はその部分インキ供給部から供給するインキの調整値を零とする本刷り中の第２の修正工程と、
前記部分インキ供給部に対応する領域毎の測定濃度差と前記本刷り中の第１および第２の許容濃度差とを比較し、測定濃度差が本刷り中の第１の許容濃度差より小さい、又は、第２の許容濃度差より大きい部分インキ供給部については、その部分インキ供給部に対応する領域の測定濃度差又はその部分インキ供給部から供給するインキの調整値を零とする本刷り中の第３の修正工程と、
前記本刷り開始前の第１〜第３の修正工程の何れの工程によって修正を行うかを選択する工程と、
前記本刷り中の第１〜第３の修正工程の何れの工程によって修正を行うかを選択する工程と、
本刷り開始前の色合わせか本刷り中の色合わせかを判断する工程と
を備えたことを特徴とする印刷機のインキ供給量調整方法。
【請求項６】
請求項１に記載された印刷機のインキ供給量調整方法において、
本刷り開始前の色合わせ用の第１の許容濃度差を設定する工程と、
本刷り開始前の色合わせ用の第２の許容濃度差を設定する工程と、
本刷り中の色合わせ用の第１の許容濃度差を設定する工程と、
本刷り中の色合わせ用の第２の許容濃度差を設定する工程と、
前記インキツボローラの回転量を調整する場合、前記部分インキ供給部に対応する領域毎の測定濃度差を補正する工程と、
前記部分インキ供給部に対応する領域毎の前記補正された測定濃度差と前記本刷り開始前の第１の許容濃度差とを比較し、補正された測定濃度差が本刷り開始前の第１の許容濃度差より小さい部分インキ供給部については、その補正された測定濃度差又はその部分インキ供給部から供給するインキの調整値を零とする本刷り開始前の第１の修正工程と、
前記部分インキ供給部に対応する領域毎の前記補正された測定濃度差と前記本刷り開始前の第２の許容濃度差とを比較し、補正された測定濃度差が本刷り開始前の第２の許容濃度差より小さい部分インキ供給部については、その補正された測定濃度差又はその部分インキ供給部から供給するインキの調整値を零とする本刷り開始前の第２の修正工程と、
前記部分インキ供給部に対応する領域毎の前記補正された測定濃度差と前記本刷り開始前の第１および第２の許容濃度差とを比較し、補正された測定濃度差が本刷り開始前の第１の許容濃度差より小さい、又は、第２の許容濃度差より大きい部分インキ供給部については、その補正された測定濃度差又はその部分インキ供給部から供給するインキの調整値を零とする本刷り開始前の第３の修正工程と、
前記部分インキ供給部に対応する領域毎の前記補正された測定濃度差と前記本刷り中の第１の許容濃度差とを比較し、補正された測定濃度差が本刷り中の第１の許容濃度差より小さい部分インキ供給部については、その補正された測定濃度差又はその部分インキ供給部から供給するインキの調整値を零とする本刷り中の第１の修正工程と、
前記部分インキ供給部に対応する領域毎の前記補正された測定濃度差と前記本刷り中の第２の許容濃度差とを比較し、補正された測定濃度差が本刷り中の第２の許容濃度差より小さい部分インキ供給部については、その補正された測定濃度差又はその部分インキ供給部から供給するインキの調整値を零とする本刷り中の第２の修正工程と、
前記部分インキ供給部に対応する領域毎の前記補正された測定濃度差と前記本刷り中の第１および第２の許容濃度差とを比較し、補正された測定濃度差が本刷り中の第１の許容濃度差より小さい、又は、第２の許容濃度差より大きい部分インキ供給部については、その補正された測定濃度差又はその部分インキ供給部から供給するインキの調整値を零とする本刷り中の第３の修正工程と、
前記本刷り開始前の第１〜第３の修正工程の何れの工程によって修正を行うかを選択する工程と、
前記本刷り中の第１〜第３の修正工程の何れの工程によって修正を行うかを選択する工程と、
本刷り開始前の色合わせか本刷り中の色合わせかを判断する工程と
を備えたことを特徴とする印刷機のインキ供給量調整方法。
【請求項７】
印刷物の色彩値を測定し、この測定した色彩値と予め設定されている基準色彩値との色差を求め、この求めた色差に基づいて刷版へのインキ供給量を調整する印刷機のインキ供給量調整方法において、
インキツボローラとこのインキツボローラの軸方向に並設された部分インキ供給部より前記刷版にインキを供給するインキ供給工程と、
前記印刷物の色彩値を前記部分インキ供給部に対応する領域毎に測定する色彩値測定工程と、
前記部分インキ供給部に対応する領域毎に測定された色彩値と予め設定されている基準色彩値との差を測定色差として求める色差測定工程と、
前記部分インキ供給部に対応する領域毎の測定色差に基づいて前記部分インキ供給部からのインキの供給量を調整する部分インキ供給量調整工程と、
前記部分インキ供給部に対応する領域毎の測定色差の方向を求め、全ての領域の測定色差の方向が同じ場合、前記インキツボローラの回転量を調整するインキツボローラ回転量調整工程と
を備えたことを特徴とする印刷機のインキ供給量調整方法。
【請求項８】
請求項７に記載された印刷機のインキ供給量調整方法において、
前記インキツボローラ回転量調整工程は、
前記部分インキ供給部に対応する領域毎の測定色差の平均値を求め、この求めた測定色差の平均値に応じて前記インキツボローラの回転量の調整値を求める
ことを特徴とする印刷機のインキ供給量調整方法。
【請求項９】
請求項７に記載された印刷機のインキ供給量調整方法において、
第１の許容色差を設定する工程と、
第２の許容色差を設定する工程と、
前記部分インキ供給部に対応する領域毎の測定色差と前記第１の許容色差とを比較し、測定色差が第１の許容色差より小さい部分インキ供給部については、その部分インキ供給部に対応する領域の測定色差又はその部分インキ供給部から供給するインキの調整値を零とする第１の修正工程と、
前記部分インキ供給部に対応する領域毎の測定色差と前記第２の許容色差とを比較し、測定色差が第２の許容色差より小さい部分インキ供給部については、その部分インキ供給部に対応する領域の測定色差又はその部分インキ供給部から供給するインキの調整値を零とする第２の修正工程と、
前記部分インキ供給部に対応する領域毎の測定色差と前記第１および第２の許容色差とを比較し、測定色差が第１の許容色差より小さい、又は、第２の許容色差より大きい部分インキ供給部については、その部分インキ供給部に対応する領域の測定色差又はその部分インキ供給部から供給するインキの調整値を零とする第３の修正工程と、
前記第１〜第３の修正工程の何れの工程によって修正を行うかを選択する工程と
を備えたことを特徴とする印刷機のインキ供給量調整方法。
【請求項１０】
請求項７に記載された印刷機のインキ供給量調整方法において、
第１の許容色差を設定する工程と、
第２の許容色差を設定する工程と、
前記インキツボローラの回転量を調整する場合、前記部分インキ供給部に対応する領域毎の測定色差を補正する工程と、
前記部分インキ供給部に対応する領域毎の前記補正された測定色差と前記第１の許容色差とを比較し、補正された測定色差が第１の許容色差より小さい部分インキ供給部については、その補正された測定色差又はその部分インキ供給部から供給するインキの調整値を零とする第１の修正工程と、
前記部分インキ供給部に対応する領域毎の前記補正された測定色差と前記第２の許容色差とを比較し、補正された測定色差が第２の許容色差より小さい部分インキ供給部については、その補正された測定色差又はその部分インキ供給部から供給するインキの調整値を零とする第２の修正工程と、
前記部分インキ供給部に対応する領域毎の前記補正された測定色差と前記第１および第２の許容色差とを比較し、補正された測定色差が第１の許容色差より小さい、又は、第２の許容色差より大きい部分インキ供給部については、その補正された測定色差又はその部分インキ供給部から供給するインキの調整値を零とする第３の修正工程と、
前記第１〜第３の修正工程の何れの工程によって修正を行うかを選択する工程と
を備えたことを特徴とする印刷機のインキ供給量調整方法。
【請求項１１】
請求項７に記載された印刷機のインキ供給量調整方法において、
本刷り開始前の色合わせ用の第１の許容色差を設定する工程と、
本刷り開始前の色合わせ用の第２の許容色差を設定する工程と、
本刷り中の色合わせ用の第１の許容色差を設定する工程と、
本刷り中の色合わせ用の第２の許容色差を設定する工程と、
前記部分インキ供給部に対応する領域毎の測定色差と前記本刷り開始前の第１の許容色差とを比較し、測定色差が本刷り開始前の第１の許容色差より小さい部分インキ供給部については、その部分インキ供給部に対応する領域の測定色差又はその部分インキ供給部から供給するインキの調整値を零とする本刷り開始前の第１の修正工程と、
前記部分インキ供給部に対応する領域毎の測定色差と前記本刷り開始前の第２の許容色差とを比較し、測定色差が本刷り開始前の第２の許容色差より小さい部分インキ供給部については、その部分インキ供給部に対応する領域の測定色差又はその部分インキ供給部から供給するインキの調整値を零とする本刷り開始前の第２の修正工程と、
前記部分インキ供給部に対応する領域毎の測定色差と前記本刷り開始前の第１および第２の許容色差とを比較し、測定色差が本刷り開始前の第１の許容色差より小さい、又は、第２の許容色差より大きい部分インキ供給部については、その部分インキ供給部に対応する領域の測定色差又はその部分インキ供給部から供給するインキの調整値を零とする本刷り開始前の第３の修正工程と、
前記部分インキ供給部に対応する領域毎の測定色差と前記本刷り中の第１の許容色差とを比較し、測定色差が本刷り中の第１の許容色差より小さい部分インキ供給部については、その部分インキ供給部に対応する領域の測定色差又はその部分インキ供給部から供給するインキの調整値を零とする本刷り中の第１の修正工程と、
前記部分インキ供給部に対応する領域毎の測定色差と前記本刷り中の第２の許容色差とを比較し、測定色差が本刷り中の第２の許容色差より小さい部分インキ供給部については、その部分インキ供給部に対応する領域の測定色差又はその部分インキ供給部から供給するインキの調整値を零とする本刷り中の第２の修正工程と、
前記部分インキ供給部に対応する領域毎の測定色差と前記本刷り中の第１および第２の許容色差とを比較し、測定色差が本刷り中の第１の許容色差より小さい、又は、第２の許容色差より大きい部分インキ供給部については、その部分インキ供給部に対応する領域の測定色差又はその部分インキ供給部から供給するインキの調整値を零とする本刷り中の第３の修正工程と、
前記本刷り開始前の第１〜第３の修正工程の何れの工程によって修正を行うかを選択する工程と、
前記本刷り中の第１〜第３の修正工程の何れの工程によって修正を行うかを選択する工程と、
本刷り開始前の色合わせか本刷り中の色合わせかを判断する工程と
を備えたことを特徴とする印刷機のインキ供給量調整方法。
【請求項１２】
請求項７に記載された印刷機のインキ供給量調整方法において、
本刷り開始前の色合わせ用の第１の許容色差を設定する工程と、
本刷り開始前の色合わせ用の第２の許容色差を設定する工程と、
本刷り中の色合わせ用の第１の許容色差を設定する工程と、
本刷り中の色合わせ用の第２の許容色差を設定する工程と、
前記インキツボローラの回転量を調整する場合、前記部分インキ供給部に対応する領域毎の測定色差を補正する工程と、
前記部分インキ供給部に対応する領域毎の前記補正された測定色差と前記本刷り開始前の第１の許容色差とを比較し、補正された測定色差が本刷り開始前の第１の許容色差より小さい部分インキ供給部については、その補正された測定色差又はその部分インキ供給部から供給するインキの調整値を零とする本刷り開始前の第１の修正工程と、
前記部分インキ供給部に対応する領域毎の前記補正された測定色差と前記本刷り開始前の第２の許容色差とを比較し、補正された測定色差が本刷り開始前の第２の許容色差より小さい部分インキ供給部については、その補正された測定色差又はその部分インキ供給部から供給するインキの調整値を零とする本刷り開始前の第２の修正工程と、
前記部分インキ供給部に対応する領域毎の前記補正された測定色差と前記本刷り開始前の第１および第２の許容色差とを比較し、補正された測定色差が本刷り開始前の第１の許容色差より小さい、又は、第２の許容色差より大きい部分インキ供給部については、その補正された測定色差又はその部分インキ供給部から供給するインキの調整値を零とする本刷り開始前の第３の修正工程と、
前記部分インキ供給部に対応する領域毎の前記補正された測定色差と前記本刷り中の第１の許容色差とを比較し、補正された測定色差が本刷り中の第１の許容色差より小さい部分インキ供給部については、その補正された測定色差又はその部分インキ供給部から供給するインキの調整値を零とする本刷り中の第１の修正工程と、
前記部分インキ供給部に対応する領域毎の前記補正された測定色差と前記本刷り中の第２の許容色差とを比較し、補正された測定色差が本刷り中の第２の許容色差より小さい部分インキ供給部については、その補正された測定色差又はその部分インキ供給部から供給するインキの調整値を零とする本刷り中の第２の修正工程と、
前記部分インキ供給部に対応する領域毎の前記補正された測定色差と前記本刷り中の第１および第２の許容色差とを比較し、補正された測定色差が本刷り中の第１の許容色差より小さい、又は、第２の許容色差より大きい部分インキ供給部については、その補正された測定色差又はその部分インキ供給部から供給するインキの調整値を零とする本刷り中の第３の修正工程と、
前記本刷り開始前の第１〜第３の修正工程の何れの工程によって修正を行うかを選択する工程と、
前記本刷り中の第１〜第３の修正工程の何れの工程によって修正を行うかを選択する工程と、
本刷り開始前の色合わせか本刷り中の色合わせかを判断する工程と
を備えたことを特徴とする印刷機のインキ供給量調整方法。
【請求項１３】
印刷物の濃度値を測定し、この測定した濃度値と予め設定されている基準濃度値との濃度差を求め、この求めた濃度差に基づいて刷版へのインキ供給量を調整する印刷機のインキ供給量調整装置において、
インキツボローラとこのインキツボローラの軸方向に並設された部分インキ供給部より前記刷版にインキを供給するインキ供給手段と、
前記印刷物の濃度値を前記部分インキ供給部に対応する領域毎に測定する濃度値測定手段と、
前記部分インキ供給部に対応する領域毎に測定された濃度値と予め設定されている基準濃度値との差を測定濃度差として求める濃度差演算手段と、
前記部分インキ供給部に対応する領域毎の測定濃度差に基づいて前記部分インキ供給部からのインキの供給量を調整する部分インキ供給量調整手段と、
前記部分インキ供給部に対応する領域毎の測定濃度差の方向を求め、全ての領域の測定濃度差の方向が同じ場合、前記インキツボローラの回転量を調整するインキツボローラ回転量調整手段と
を備えたことを特徴とする印刷機のインキ供給量調整装置。
【請求項１４】
請求項１３に記載された印刷機のインキ供給量調整装置において、
前記インキツボローラ回転量調整手段は、
前記部分インキ供給部に対応する領域毎の測定濃度差の平均値を求め、この求めた測定濃度差の平均値に応じて前記インキツボローラの回転量の調整値を求める
ことを特徴とする印刷機のインキ供給量調整装置。
【請求項１５】
請求項１３に記載された印刷機のインキ供給量調整装置において、
第１の許容濃度差を設定する手段と、
第２の許容濃度差を設定する手段と、
前記部分インキ供給部に対応する領域毎の測定濃度差と前記第１の許容濃度差とを比較し、測定濃度差が第１の許容濃度差より小さい部分インキ供給部については、その部分インキ供給部に対応する領域の測定濃度差又はその部分インキ供給部から供給するインキの調整値を零とする第１の修正と、前記部分インキ供給部に対応する領域毎の測定濃度差と前記第２の許容濃度差とを比較し、測定濃度差が第２の許容濃度差より小さい部分インキ供給部については、その部分インキ供給部に対応する領域の測定濃度差又はその部分インキ供給部から供給するインキの調整値を零とする第２の修正と、前記部分インキ供給部に対応する領域毎の測定濃度差と前記第１および第２の許容濃度差とを比較し、測定濃度差が第１の許容濃度差より小さい、又は、第２の許容濃度差より大きい部分インキ供給部については、その部分インキ供給部に対応する領域の測定濃度差又はその部分インキ供給部から供給するインキの調整値を零とする第３の修正とを行う修正手段と、
前記第１〜第３の修正の何れによって修正を行うかを選択する手段と
を備えたことを特徴とする印刷機のインキ供給量調整装置。
【請求項１６】
請求項１３に記載された印刷機のインキ供給量調整装置において、
第１の許容濃度差を設定する手段と、
第２の許容濃度差を設定する手段と、
前記インキツボローラの回転量を調整する場合、前記部分インキ供給部に対応する領域毎の測定濃度差を補正する手段と、
前記部分インキ供給部に対応する領域毎の前記補正された測定濃度差と前記第１の許容濃度差とを比較し、補正された測定濃度差が第１の許容濃度差より小さい部分インキ供給部については、その補正された測定濃度差又はその部分インキ供給部から供給するインキの調整値を零とする第１の修正と、前記部分インキ供給部に対応する領域毎の前記補正された測定濃度差と前記第２の許容濃度差とを比較し、補正された測定濃度差が第２の許容濃度差より小さい部分インキ供給部については、その補正された測定濃度差又はその部分インキ供給部から供給するインキの調整値を零とする第２の修正と、前記部分インキ供給部に対応する領域毎の前記補正された測定濃度差と前記第１および第２の許容濃度差とを比較し、補正された測定濃度差が第１の許容濃度差より小さい、又は、第２の許容濃度差より大きい部分インキ供給部については、その補正された測定濃度差又はその部分インキ供給部から供給するインキの調整値を零とする第３の修正とを行う修正手段と、
前記第１〜第３の修正の何れによって修正を行うかを選択する手段と
を備えたことを特徴とする印刷機のインキ供給量調整装置。
【請求項１７】
請求項１３に記載された印刷機のインキ供給量調整装置において、
本刷り開始前の色合わせ用の第１の許容濃度差を設定する手段と、
本刷り開始前の色合わせ用の第２の許容濃度差を設定する手段と、
本刷り中の色合わせ用の第１の許容濃度差を設定する手段と、
本刷り中の色合わせ用の第２の許容濃度差を設定する手段と、
前記部分インキ供給部に対応する領域毎の測定濃度差と前記本刷り開始前の第１の許容濃度差とを比較し、測定濃度差が本刷り開始前の第１の許容濃度差より小さい部分インキ供給部については、その部分インキ供給部に対応する領域の測定濃度差又はその部分インキ供給部から供給するインキの調整値を零とする本刷り開始前の第１の修正と、前記部分インキ供給部に対応する領域毎の測定濃度差と前記本刷り開始前の第２の許容濃度差とを比較し、測定濃度差が本刷り開始前の第２の許容濃度差より小さい部分インキ供給部については、その部分インキ供給部に対応する領域の測定濃度差又はその部分インキ供給部から供給するインキの調整値を零とする本刷り開始前の第２の修正と、前記部分インキ供給部に対応する領域毎の測定濃度差と前記本刷り開始前の第１および第２の許容濃度差とを比較し、測定濃度差が本刷り開始前の第１の許容濃度差より小さい、又は、第２の許容濃度差より大きい部分インキ供給部については、その部分インキ供給部に対応する領域の測定濃度差又はその部分インキ供給部から供給するインキの調整値を零とする本刷り開始前の第３の修正とを行う本刷り開始前の修正手段と、
前記部分インキ供給部に対応する領域毎の測定濃度差と前記本刷り中の第１の許容濃度差とを比較し、測定濃度差が本刷り中の第１の許容濃度差より小さい部分インキ供給部については、その部分インキ供給部に対応する領域の測定濃度差又はその部分インキ供給部から供給するインキの調整値を零とする本刷り中の第１の修正と、前記部分インキ供給部に対応する領域毎の測定濃度差と前記本刷り中の第２の許容濃度差とを比較し、測定濃度差が本刷り中の第２の許容濃度差より小さい部分インキ供給部については、その部分インキ供給部に対応する領域の測定濃度差又はその部分インキ供給部から供給するインキの調整値を零とする本刷り中の第２の修正と、前記部分インキ供給部に対応する領域毎の測定濃度差と前記本刷り中の第１および第２の許容濃度差とを比較し、測定濃度差が本刷り中の第１の許容濃度差より小さい、又は、第２の許容濃度差より大きい部分インキ供給部については、その部分インキ供給部に対応する領域の測定濃度差又はその部分インキ供給部から供給するインキの調整値を零とする本刷り中の第３の修正とを行う本刷り中の修正手段と、
前記本刷り開始前の第１〜第３の修正の何れによって修正を行うかを選択する手段と、
前記本刷り中の第１〜第３の修正の何れによって修正を行うかを選択する手段と、
本刷り開始前の色合わせか本刷り中の色合わせかを判断する手段と
を備えたことを特徴とする印刷機のインキ供給量調整装置。
【請求項１８】
請求項１３に記載された印刷機のインキ供給量調整装置において、
本刷り開始前の色合わせ用の第１の許容濃度差を設定する手段と、
本刷り開始前の色合わせ用の第２の許容濃度差を設定する手段と、
本刷り中の色合わせ用の第１の許容濃度差を設定する手段と、
本刷り中の色合わせ用の第２の許容濃度差を設定する手段と、
前記インキツボローラの回転量を調整する場合、前記部分インキ供給部に対応する領域毎の測定濃度差を補正する手段と、
前記部分インキ供給部に対応する領域毎の前記補正された測定濃度差と前記本刷り開始前の第１の許容濃度差とを比較し、補正された測定濃度差が本刷り開始前の第１の許容濃度差より小さい部分インキ供給部については、その補正された測定濃度差又はその部分インキ供給部から供給するインキの調整値を零とする本刷り開始前の第１の修正と、前記部分インキ供給部に対応する領域毎の前記補正された測定濃度差と前記本刷り開始前の第２の許容濃度差とを比較し、補正された測定濃度差が本刷り開始前の第２の許容濃度差より小さい部分インキ供給部については、その補正された測定濃度差又はその部分インキ供給部から供給するインキの調整値を零とする本刷り開始前の第２の修正と、前記部分インキ供給部に対応する領域毎の前記補正された測定濃度差と前記本刷り開始前の第１および第２の許容濃度差とを比較し、補正された測定濃度差が本刷り開始前の第１の許容濃度差より小さい、又は、第２の許容濃度差より大きい部分インキ供給部については、その補正された測定濃度差又はその部分インキ供給部から供給するインキの調整値を零とする本刷り開始前の第３の修正とを行う本刷り開始前の修正手段と、
前記部分インキ供給部に対応する領域毎の前記補正された測定濃度差と前記本刷り中の第１の許容濃度差とを比較し、補正された測定濃度差が本刷り中の第１の許容濃度差より小さい部分インキ供給部については、その補正された測定濃度差又はその部分インキ供給部から供給するインキの調整値を零とする本刷り中の第１の修正と、前記部分インキ供給部に対応する領域毎の前記補正された測定濃度差と前記本刷り中の第２の許容濃度差とを比較し、補正された測定濃度差が本刷り中の第２の許容濃度差より小さい部分インキ供給部については、その補正された測定濃度差又はその部分インキ供給部から供給するインキの調整値を零とする本刷り中の第２の修正と、前記部分インキ供給部に対応する領域毎の前記補正された測定濃度差と前記本刷り中の第１および第２の許容濃度差とを比較し、補正された測定濃度差が本刷り中の第１の許容濃度差より小さい、又は、第２の許容濃度差より大きい部分インキ供給部については、その補正された測定濃度差又はその部分インキ供給部から供給するインキの調整値を零とする本刷り中の第３の修正とを行う本刷り中の修正手段と、
前記本刷り開始前の第１〜第３の修正の何れによって修正を行うかを選択する手段と、
前記本刷り中の第１〜第３の修正の何れによって修正を行うかを選択する手段と、
本刷り開始前の色合わせか本刷り中の色合わせかを判断する手段と
を備えたことを特徴とする印刷機のインキ供給量調整装置。
【請求項１９】
印刷物の色彩値を測定し、この測定した色彩値と予め設定されている基準色彩値との色差を求め、この求めた色差に基づいて刷版へのインキ供給量を調整する印刷機のインキ供給量調整装置において、
インキツボローラとこのインキツボローラの軸方向に並設された部分インキ供給部より前記刷版にインキを供給するインキ供給手段と、
前記印刷物の色彩値を前記部分インキ供給部に対応する領域毎に測定する色彩値測定手段と、
前記部分インキ供給部に対応する領域毎に測定された色彩値と予め設定されている基準色彩値との差を測定色差として求める色差演算手段と、
前記部分インキ供給部に対応する領域毎の測定色差に基づいて前記部分インキ供給部からのインキの供給量を調整する部分インキ供給量調整手段と、
前記部分インキ供給部に対応する領域毎の測定色差の方向を求め、全ての領域の測定色差の方向が同じ場合、前記インキツボローラの回転量を調整するインキツボローラ回転量調整手段と
を備えたことを特徴とする印刷機のインキ供給量調整装置。
【請求項２０】
請求項１９に記載された印刷機のインキ供給量調整装置において、
前記インキツボローラ回転量調整手段は、
前記部分インキ供給部に対応する領域毎の測定色差の平均値を求め、この求めた測定色差の平均値に応じて前記インキツボローラの回転量の調整値を求める
ことを特徴とする印刷機のインキ供給量調整装置。
【請求項２１】
請求項１９に記載された印刷機のインキ供給量調整装置において、
第１の許容色差を設定する手段と、
第２の許容色差を設定する手段と、
前記部分インキ供給部に対応する領域毎の測定色差と前記第１の許容色差とを比較し、測定色差が第１の許容色差より小さい部分インキ供給部については、その部分インキ供給部に対応する領域の測定色差又はその部分インキ供給部から供給するインキの調整値を零とする第１の修正と、前記部分インキ供給部に対応する領域毎の測定色差と前記第２の許容色差とを比較し、測定色差が第２の許容色差より小さい部分インキ供給部については、その部分インキ供給部に対応する領域の測定色差又はその部分インキ供給部から供給するインキの調整値を零とする第２の修正と、前記部分インキ供給部に対応する領域毎の測定色差と前記第１および第２の許容色差とを比較し、測定色差が第１の許容色差より小さい、又は、第２の許容色差より大きい部分インキ供給部については、その部分インキ供給部に対応する領域の測定色差又はその部分インキ供給部から供給するインキの調整値を零とする第３の修正とを行う修正手段と、
前記第１〜第３の修正の何れによって修正を行うかを選択する手段と
を備えたことを特徴とする印刷機のインキ供給量調整装置。
【請求項２２】
請求項１９に記載された印刷機のインキ供給量調整装置において、
第１の許容色差を設定する手段と、
第２の許容色差を設定する手段と、
前記インキツボローラの回転量を調整する場合、前記部分インキ供給部に対応する領域毎の測定色差を補正する手段と、
前記部分インキ供給部に対応する領域毎の前記補正された測定色差と前記第１の許容色差とを比較し、補正された測定色差が第１の許容色差より小さい部分インキ供給部については、その補正された測定色差又はその部分インキ供給部から供給するインキの調整値を零とする第１の修正と、前記部分インキ供給部に対応する領域毎の前記補正された測定色差と前記第２の許容色差とを比較し、補正された測定色差が第２の許容色差より小さい部分インキ供給部については、その補正された測定色差又はその部分インキ供給部から供給するインキの調整値を零とする第２の修正と、前記部分インキ供給部に対応する領域毎の前記補正された測定色差と前記第１および第２の許容色差とを比較し、補正された測定色差が第１の許容色差より小さい、又は、第２の許容色差より大きい部分インキ供給部については、その補正された測定色差又はその部分インキ供給部から供給するインキの調整値を零とする第３の修正とを行う修正手段と、
前記第１〜第３の修正の何れによって修正を行うかを選択する手段と
を備えたことを特徴とする印刷機のインキ供給量調整装置。
【請求項２３】
請求項１９に記載された印刷機のインキ供給量調整装置において、
本刷り開始前の色合わせ用の第１の許容色差を設定する手段と、
本刷り開始前の色合わせ用の第２の許容色差を設定する手段と、
本刷り中の色合わせ用の第１の許容色差を設定する手段と、
本刷り中の色合わせ用の第２の許容色差を設定する手段と、
前記部分インキ供給部に対応する領域毎の測定色差と前記本刷り開始前の第１の許容色差とを比較し、測定色差が本刷り開始前の第１の許容色差より小さい部分インキ供給部については、その部分インキ供給部に対応する領域の測定色差又はその部分インキ供給部から供給するインキの調整値を零とする本刷り開始前の第１の修正と、前記部分インキ供給部に対応する領域毎の測定色差と前記本刷り開始前の第２の許容色差とを比較し、測定色差が本刷り開始前の第２の許容色差より小さい部分インキ供給部については、その部分インキ供給部に対応する領域の測定色差又はその部分インキ供給部から供給するインキの調整値を零とする本刷り開始前の第２の修正と、前記部分インキ供給部に対応する領域毎の測定色差と前記本刷り開始前の第１および第２の許容色差とを比較し、測定色差が本刷り開始前の第１の許容色差より小さい、又は、第２の許容色差より大きい部分インキ供給部については、その部分インキ供給部に対応する領域の測定色差又はその部分インキ供給部から供給するインキの調整値を零とする本刷り開始前の第３の修正とを行う本刷り開始前の修正手段と、
前記部分インキ供給部に対応する領域毎の測定色差と前記本刷り中の第１の許容色差とを比較し、測定色差が本刷り中の第１の許容色差より小さい部分インキ供給部については、その部分インキ供給部に対応する領域の測定色差又はその部分インキ供給部から供給するインキの調整値を零とする本刷り中の第１の修正と、前記部分インキ供給部に対応する領域毎の測定色差と前記本刷り中の第２の許容色差とを比較し、測定色差が本刷り中の第２の許容色差より小さい部分インキ供給部については、その部分インキ供給部に対応する領域の測定色差又はその部分インキ供給部から供給するインキの調整値を零とする本刷り中の第２の修正と、前記部分インキ供給部に対応する領域毎の測定色差と前記本刷り中の第１および第２の許容色差とを比較し、測定色差が本刷り中の第１の許容色差より小さい、又は、第２の許容色差より大きい部分インキ供給部については、その部分インキ供給部に対応する領域の測定色差又はその部分インキ供給部から供給するインキの調整値を零とする本刷り中の第３の修正とを行う本刷り中の修正手段と、
前記本刷り開始前の第１〜第３の修正の何れによって修正を行うかを選択する手段と、
前記本刷り中の第１〜第３の修正の何れによって修正を行うかを選択する手段と、
本刷り開始前の色合わせか本刷り中の色合わせかを判断する手段と
を備えたことを特徴とする印刷機のインキ供給量調整装置。
【請求項２４】
請求項１９に記載された印刷機のインキ供給量調整装置において、
本刷り開始前の色合わせ用の第１の許容色差を設定する手段と、
本刷り開始前の色合わせ用の第２の許容色差を設定する手段と、
本刷り中の色合わせ用の第１の許容色差を設定する手段と、
本刷り中の色合わせ用の第２の許容色差を設定する手段と、
前記インキツボローラの回転量を調整する場合、前記部分インキ供給部に対応する領域毎の測定色差を補正する手段と、
前記部分インキ供給部に対応する領域毎の前記補正された測定色差と前記本刷り開始前の第１の許容色差とを比較し、補正された測定色差が本刷り開始前の第１の許容色差より小さい部分インキ供給部については、その補正された測定色差又はその部分インキ供給部から供給するインキの調整値を零とする本刷り開始前の第１の修正と、前記部分インキ供給部に対応する領域毎の前記補正された測定色差と前記本刷り開始前の第２の許容色差とを比較し、補正された測定色差が本刷り開始前の第２の許容色差より小さい部分インキ供給部については、その補正された測定色差又はその部分インキ供給部から供給するインキの調整値を零とする本刷り開始前の第２の修正と、前記部分インキ供給部に対応する領域毎の前記補正された測定色差と前記本刷り開始前の第１および第２の許容色差とを比較し、補正された測定色差が本刷り開始前の第１の許容色差より小さい、又は、第２の許容色差より大きい部分インキ供給部については、その補正された測定色差又はその部分インキ供給部から供給するインキの調整値を零とする本刷り開始前の第３の修正とを行う本刷り開始前の修正手段と、
前記部分インキ供給部に対応する領域毎の前記補正された測定色差と前記本刷り中の第１の許容色差とを比較し、補正された測定色差が本刷り中の第１の許容色差より小さい部分インキ供給部については、その補正された測定色差又はその部分インキ供給部から供給するインキの調整値を零とする本刷り中の第１の修正と、前記部分インキ供給部に対応する領域毎の前記補正された測定色差と前記本刷り中の第２の許容色差とを比較し、補正された測定色差が本刷り中の第２の許容色差より小さい部分インキ供給部については、その補正された測定色差又はその部分インキ供給部から供給するインキの調整値を零とする本刷り中の第２の修正と、前記部分インキ供給部に対応する領域毎の前記補正された測定色差と前記本刷り中の第１および第２の許容色差とを比較し、補正された測定色差が本刷り中の第１の許容色差より小さい、又は、第２の許容色差より大きい部分インキ供給部については、その補正された測定色差又はその部分インキ供給部から供給するインキの調整値を零とする本刷り中の第３の修正とを行う本刷り中の修正手段と、
前記本刷り開始前の第１〜第３の修正の何れによって修正を行うかを選択する手段と、
前記本刷り中の第１〜第３の修正の何れによって修正を行うかを選択する手段と、
本刷り開始前の色合わせか本刷り中の色合わせかを判断する手段と
を備えたことを特徴とする印刷機のインキ供給量調整装置。
【請求項２５】
請求項１〜１２の何れか１項に記載された印刷機のインキ供給量調整方法において、
前記部分インキ供給部は、インキキーであることを特徴とする印刷機のインキ供給量調整方法。
【請求項２６】
請求項１３〜２４の何れか１項に記載された印刷機のインキ供給量調整装置において、
前記部分インキ供給部は、インキキーであることを特徴とする印刷機のインキ供給量調整装置。
【発明の詳細な説明】
【技術分野】
【０００１】
この発明は、印刷物の濃度値や色彩値に基づいて刷版へのインキ供給量を調整する印刷機のインキ供給量調整方法および装置に関するものである。
【背景技術】
【０００２】
図１５４に輪転印刷機における各色の印刷ユニット内のインキ装置（インカー）の要部を示す。同図において、１はインキツボ、２はインキツボ１に蓄えられたインキ、３はインキツボローラ、４（４−１〜４−ｎ）はインキツボローラ３の軸方向に複数並設して設けられた部分インキ供給部であるインキキー（以後、インキキーと記載する）、５はインキ移しローラ、６はインキローラ群、７は版胴８に装着された刷版であり、刷版７には絵柄が焼き付けられている。
【０００３】
このインキ装置では、インキキー４−１〜４−ｎとインキツボローラ３との間よりインキツボ１内のインキ２をインキツボローラ３に供給し、このインキツボローラ３に供給されたインキをインキ移しローラ５の呼び出し動作によりインキローラ群６を介して刷版７へ供給する。この刷版７に供給されたインキが図示されていないゴム胴を介して印刷用紙に印刷される。
【０００４】
図１５５にこの印刷機によって印刷された印刷物を示す。印刷物９には、絵柄領域９−１を除く余白部に、帯状のカラーバー９−２が印刷される。カラーバー９−２は、一般の４色刷りの場合、墨（スミ）、シアン（アイ）、マゼンタ（アカ）、イエロー（キ）の濃度測定用のパッチ（網点面積率１００％のベタパッチ）９ａ１，９ａ２，９ａ３，９ａ４を含む領域Ｓ１〜Ｓｎから構成される。領域Ｓ１〜Ｓｎは、印刷機における各色の印刷ユニットにおけるインキキー４−１〜４−ｎのキーゾーンに対応している。
【０００５】
〔色合わせ〕
各色の印刷ユニットに対しては基準の濃度値が予め設定されている。すなわち、スミ，アイ，アカ，キの各色に対して基準の濃度値が予め設定されており、印刷物９の印刷に際しては、各色の濃度値をこの基準濃度値に一致させるような色合わせ作業が行われる。この色合わせ作業は、印刷物９に印刷されたカラーバー９−２における各色の濃度測定用のパッチ９ａ（９ａ１，９ａ２，９ａ３，９ａ４）の濃度に基づき、本刷り開始前（印刷準備段階）や本刷り中にインキ供給量調整装置によって行われる。
【０００６】
例えば、印刷物９における領域Ｓ１を代表して説明すると、本刷り開始前や本刷り中に抜き取った印刷物９の各色の濃度測定用のパッチ９ａの濃度値を測定し、この測定した各色の濃度値と予め設定されている各色の基準濃度値との濃度差を求め、この求めた各色の濃度差より各色の印刷ユニットにおけるインキキー４−１の開き量の調整量（領域Ｓ１へのインキ供給量の調整量）を求め、この求めた調整量（基準の修正量）に独自の係数（コントロールレシオ）を掛けて修正量（調整値）を求め、この修正量をフィードバック量として各色の印刷ユニットにおけるインキキー４−１の開き量をミクロン単位で調整する。
【０００７】
同様にして、領域Ｓ２〜Ｓｎについても、各色の印刷ユニットにおけるインキキー４−２〜４−ｎの開き量の調整量（領域Ｓ２〜Ｓｎへのインキ供給量の調整量）を求め、この求めた調整量（基準の修正量）にコントロールレシオを掛けて修正量（調整値）を求め、この修正量をフィードバック量として各色の印刷ユニットにおけるインキキー４−２〜４−ｎの開き量をミクロン単位で調整する。
【０００８】
なお、この各色の印刷ユニットにおけるインキキー４−１〜４−ｎの開き量の調整に際し、測定された各色の濃度値（測定濃度値）と予め設定されている各色の基準濃度値との濃度差（測定濃度差）に対して各色の唯一の許容濃度差を定め、測定濃度差が許容濃度差よりも大きいものについてのみインキ供給量の調整を行うようにしている（特許文献１参照）。
【０００９】
【特許文献１】特開２００３−１１８０７７号公報
【特許文献２】実公昭５９−２４３３９号公報
【発明の開示】
【発明が解決しようとする課題】
【００１０】
しかしながら、上述した従来のインキ供給量調整装置では、すべての範囲のインキ供給量を同じ割合だけ増減する場合にも、多数の制御対象（インキキーの開き量）を調整しなければならず、制御が複雑となる、という問題があった。
また、上述した従来のインキ供給量調整方法では、インキキーの開き量をミクロン単位で調整するようにしているため、インキキーの移動の分解能が非常に高く、インキキーを少しずつしか移動することができず、インキ供給量の調整に時間がかかっていた。
【００１１】
また、上述した従来のインキ供給量調整方法では、各色の測定濃度差に対する許容濃度差を１種類としていたために、次のような問題が生じていた。
例えば、許容濃度差が小さく、インキ供給量の調整間隔（印刷物の抜き取り間隔）が短い場合など、前回調整したインキ供給量の影響が十分に印刷物に反映されない前に次のインキ供給量の調整を行ってしまい、紙面上のインキ膜厚のハンチング現象（印刷物が濃くなったり薄くなったりして色調が安定しない現象）が発生してしまう。
また、印刷物の不慮の事象（紙折れ、紙切れ、汚れなど）によって、一時的に印刷物の特定部分の濃度値が大きく変動してしまうことがある。この場合、本来あるべきインキ供給量から大きくずれたインキ供給量に調整してしまい、より多くの損紙を発生してしまう。
【００１２】
本発明は、このような課題を解決するためになされたもので、その目的とするところは、インキ供給量の調整を素早く行うことができる印刷機のインキ供給量調整方法および装置を提供することにある。
また、インキ供給量の調整を素早く行うことができ、かつ適切な値の許容濃度差（又は許容色差）の選択により、紙面上のインキ膜厚のハンチング現象の発生を抑制したり、印刷物の不慮の事象があっても損紙の発生を少なくすることができる印刷機のインキ供給量調整方法および装置を提供することにある。
【課題を解決するための手段】
【００１３】
このような目的を達成するために本発明は、印刷物の濃度値を測定し、この測定した濃度値と予め設定されている基準濃度値との濃度差を求め、この求めた濃度差に基づいて刷版へのインキ供給量を調整する印刷機のインキ供給量調整方法において、インキツボローラとこのインキツボローラの軸方向に並設された部分インキ供給部より刷版にインキを供給するインキ供給工程と、印刷物の濃度値を部分インキ供給部に対応する領域毎に測定する濃度値測定工程と、部分インキ供給部に対応する領域毎に測定された濃度値と予め設定されている基準濃度値との差を測定濃度差として求める濃度差演算工程と、部分インキ供給部に対応する領域毎の測定濃度差に基づいて部分インキ供給部からのインキの供給量を調整する部分インキ供給量調整工程と、部分インキ供給部に対応する領域毎の測定濃度差の方向を求め、全ての領域の測定濃度差の方向が同じ場合、インキツボローラの回転量を調整するインキツボローラ回転量調整工程とを設けたものである。
この発明によれば、全ての部分インキ供給部に対応する領域の測定濃度差の方向が同じである場合、部分インキ供給部からのインキの供給量の調整だけではなく、インキツボローラの回転量の調整が行われる。なお、インキツボローラの回転量の調整方法として、例えば、部分インキ供給部に対応する領域毎の測定濃度差の平均値を求め、この求めた測定濃度差の平均値に応じてインキツボローラの回転量の調整値を求める方法が考えられる。
【００１４】
また、本発明は、上述したインキ供給工程と、濃度値測定工程と、濃度差演算工程と、部分インキ供給量調整工程と、インキツボローラ回転量調整工程に加え、さらに、第１の許容濃度差を設定する工程と、第２の許容濃度差を設定する工程と、部分インキ供給部に対応する領域毎の測定濃度差と第１の許容濃度差とを比較し、測定濃度差が第１の許容濃度差より小さい部分インキ供給部については、その部分インキ供給部に対応する領域の測定濃度差又はその部分インキ供給部から供給するインキの調整値を零とする第１の修正工程と、部分インキ供給部に対応する領域毎の測定濃度差と第２の許容濃度差とを比較し、測定濃度差が第２の許容濃度差より小さい部分インキ供給部については、その部分インキ供給部に対応する領域の測定濃度差又はその部分インキ供給部から供給するインキの調整値を零とする第２の修正工程と、部分インキ供給部に対応する領域毎の測定濃度差と第１および第２の許容濃度差とを比較し、測定濃度差が第１の許容濃度差より小さい、又は、第２の許容濃度差より大きい部分インキ供給部については、その部分インキ供給部に対応する領域の測定濃度差又はその部分インキ供給部から供給するインキの調整値を零とする第３の修正工程と、第１〜第３の修正工程の何れの工程によって修正を行うかを選択する工程とを設けたものである。
【００１５】
この発明において、オペレータや印刷現場の管理者等は、色合わせを行う前に、第１〜第３の修正工程の何れの工程を用いるかを選択することができる。第１の修正工程を選択すると、測定濃度差が第１の許容濃度差より小さい部分インキ供給部については、その部分インキ供給部に対応する領域の測定濃度差又はその部分インキ供給部から供給するインキの調整値が零とされ、その領域に対する濃度調整が行われなくなる。第２の修正工程を選択すると、測定濃度差が第２の許容濃度差より小さい部分インキ供給部については、その部分インキ供給部に対応する領域の測定濃度差又はその部分インキ供給部から供給するインキの調整値が零とされ、その領域に対する濃度調整が行われなくなる。第３の修正工程を選択すると、測定濃度差が第１の許容濃度差より小さい、又は、第２の許容濃度差より大きい部分インキ供給部については、その部分インキ供給部に対応する領域の測定濃度差又はその部分インキ供給部から供給するインキの調整値が零とされ、その領域に対する濃度調整が行われなくなる。
【００１６】
また、本発明は、上述したインキ供給工程と、濃度値測定工程と、濃度差演算工程と、部分インキ供給量調整工程と、インキツボローラ回転量調整工程に加え、さらに、第１の許容濃度差を設定する工程と、第２の許容濃度差を設定する工程と、インキツボローラの回転量を調整する場合、部分インキ供給部に対応する領域毎の測定濃度差を補正する工程と、部分インキ供給部に対応する領域毎の補正された測定濃度差と第１の許容濃度差とを比較し、補正された測定濃度差が第１の許容濃度差より小さい部分インキ供給部については、その補正された測定濃度差又はその部分インキ供給部から供給するインキの調整値を零とする第１の修正工程と、部分インキ供給部に対応する領域毎の補正された測定濃度差と第２の許容濃度差とを比較し、補正された測定濃度差が第２の許容濃度差より小さい部分インキ供給部については、その補正された測定濃度差又はその部分インキ供給部から供給するインキの調整値を零とする第２の修正工程と、部分インキ供給部に対応する領域毎の補正された測定濃度差と第１および第２の許容濃度差とを比較し、補正された測定濃度差が第１の許容濃度差より小さい、又は、第２の許容濃度差より大きい部分インキ供給部については、その補正された測定濃度差又はその部分インキ供給部から供給するインキの調整値を零とする第３の修正工程と、第１〜第３の修正工程の何れの工程によって修正を行うかを選択する工程とを設けたものである。
【００１７】
この発明において、オペレータや印刷現場の管理者等は、色合わせを行う前に、第１〜第３の修正工程の何れの工程を用いるかを選択することができる。第１の修正工程を選択すると、補正された測定濃度差が第１の許容濃度差より小さい部分インキ供給部については、その補正された測定濃度差又はその部分インキ供給部から供給するインキの調整値が零とされ、その領域に対する濃度調整が行われなくなる。第２の修正工程を選択すると、補正された測定濃度差が第２の許容濃度差より小さい部分インキ供給部については、その補正された測定濃度差又はその部分インキ供給部から供給するインキの調整値が零とされ、その領域に対する濃度調整が行われなくなる。第３の修正工程を選択すると、補正された測定濃度差が第１の許容濃度差より小さい、又は、第２の許容濃度差より大きい部分インキ供給部については、その補正された測定濃度差又はその部分インキ供給部から供給するインキの調整値が零とされ、その領域に対する濃度調整が行われなくなる。
【００１８】
なお、この発明において、インキツボローラの回転量が調整される場合には、インキツボローラの回転量の調整値に応じて測定濃度差が補正され、この補正された測定濃度差と第１の許容濃度差や第２の許容濃度差とが比較されることになる。すなわち、インキツボローラの回転量を調整する場合には、インキツボローラの回転量の調整値に応じて測定濃度差が補正されるので、補正前の測定濃度差ではなく、補正後の測定濃度差と第１の許容濃度差や第２の許容濃度差とが比較されることになる。
【００１９】
この発明において、第１の許容濃度差と第２の許容濃度差は、第１の許容濃度差を第２の許容濃度差よりも大きく設定してもよく、第２の許容濃度差を第１の許容濃度差よりも大きく設定してもよい。第２の許容濃度差を第１の許容濃度差よりも大きく設定し、最初は第１の修正工程を選択すると、測定濃度差が第１の許容濃度差より小さい全ての領域に対して濃度調整が行われなくなる。
この第１の修正工程を選択しての色合わせの結果をみて、紙面上のインキ膜厚のハンチング現象が発生する虞れがあると思えば、第２の修正工程に切り替える。第２の修正工程を選択すると、測定濃度差が第２の許容濃度差（＞第１の許容濃度差）より小さい全ての領域に対して濃度調整が行われなくなる。すなわち、インキ供給量調整を行う際のしきい値が上げられ、これにより紙面上のインキ膜厚のハンチング現象の発生が抑制されるものとなる。
また、紙折れ、紙切れ、汚れなど印刷物の不慮の事象が発生し、一時的に印刷物の特定部分の濃度値が大きく変動していることが分かれば、第３の修正工程を選択する。第３の修正工程を選択すると、測定濃度差が第１の許容濃度差より小さい、又は、第２の許容濃度差より大きい領域に対して濃度調整が行われなくなり、一時的な濃度値の変動による損紙の発生を少なくすることができるようになる。
【００２０】
色合わせ作業は、本刷り開始前に行う場合と、本刷り中に行う場合とがある。本刷り開始前の色合わせの際には、インカー内のインキ量が印刷しようとする印刷物に必要とされるインキ量と大きく異なる場合が多いため、測定濃度差は大きくなる。これに対し、本刷り中の色合わせの際には、インカー内のインキ量が印刷しようとする印刷物に必要とされるインキ量とあまり違わないため、測定濃度差は小さくなる。
そこで、本発明では、本刷り開始前の第１、第２、第３の修正工程とは別に、本刷り中の第１、第２、第３の修正工程を設ける。また、本刷り開始前の色合わせにおいて本刷り開始前の第１〜第３の修正工程の何れの工程を用いるかを選択する工程と、本刷り中の色合わせにおいて本刷り中の第１〜第３の修正工程の何れの工程を用いるかを選択する工程と、本刷り開始前の色合わせか本刷り中の色合わせかを判断する工程とを設ける。
【００２１】
この発明において、オペレータや印刷現場の管理者等は、本刷り開始前の色合わせの前に、本刷り開始前の第１〜第３の修正工程の何れの工程を用いるかを選択することができる。本刷り開始前の第１の修正工程を選択すると、本刷り開始前の色合わせにおいて、測定濃度差が本刷り開始前の第１の許容濃度差より小さい全ての領域に対して濃度調整が行われなくなる。本刷り開始前の第２の修正工程を選択すると、本刷り開始前の色合わせにおいて、測定濃度差が本刷り開始前の第２の許容濃度差より小さい全ての領域に対して濃度調整が行われなくなる。本刷り開始前の第３の修正工程を選択すると、本刷り開始前の色合わせにおいて、測定濃度差が本刷り開始前の第１の許容濃度差より小さい、又は、第２の許容濃度差より大きい全ての領域に対して濃度調整が行われなくなる。
【００２２】
また、この発明において、オペレータや印刷現場の管理者等は、本刷り中の色合わせの前に、本刷り中の第１〜第３の修正工程の何れの工程を用いるかを選択することができる。本刷り中の第１の修正工程を選択すると、本刷り中の色合わせにおいて、測定濃度差が本刷り中の第１の許容濃度差より小さい全ての領域に対して濃度調整が行われなくなる。本刷り中の第２の修正工程を選択すると、本刷り中の色合わせにおいて、測定濃度差が本刷り中の第２の許容濃度差より小さい全ての領域に対して濃度調整が行われなくなる。本刷り中の第３の修正工程を選択すると、本刷り中の色合わせにおいて、測定濃度差が本刷り中の第１の許容濃度差より小さい、又は、第２の許容濃度差より大きい全ての領域に対して濃度調整が行われなくなる。
【００２３】
なお、本発明において、濃度値は色彩値に置き換えてもよい。この場合、部分インキ供給部に対応する領域毎に測定された色彩値と予め設定されている基準色彩値との色差（測定色差）の方向を求め、全ての領域の測定色差の方向が同じ場合、インキツボローラの回転量を調整するようにする。また、測定色差が第１の許容色差より小さい部分インキ供給部については、その部分インキ供給部に対応する領域の測定色差又はその部分インキ供給部からのインキの供給量の調整値を零とする第１の修正工程と、測定色差が第２の許容色差より小さい部分インキ供給部については、その部分インキ供給部に対応する領域の測定色差又はその部分インキ供給部からのインキの供給量の調整値を零とする第２の修正工程と、測定色差が第１の許容色差より小さい、又は、第２の許容色差より大きい部分インキ供給部については、その部分インキ供給部に対応する領域の測定色差又はその部分インキ供給部からのインキの供給量の調整値を零とする第３の修正工程とを設け、第１〜第３の修正工程の何れの工程を用いるかを選択することができるようにする。また、本発明は、上述した方法を適用した装置として構成することもできる。
【発明の効果】
【００２４】
本発明によれば、全ての部分インキ供給部に対応する領域の測定濃度差(又は測定色差)の方向が同じである場合、部分インキ供給部からのインキの供給量の調整だけではなく、インキツボローラの回転量の調整が行われるものとなり、すなわち部分インキ供給部によるインキ供給量の調整とインキツボローラによるインキ供給量の調整とが同時に行われるものとなり、これによりインキ供給量の調整が素早く行われるようになる。また。すべての範囲のインキ供給量を同じ割合だけ増減する場合、インキツボローラの回転量だけを調整すればよいため、制御が簡単になる。
【００２５】
また、本発明によれば、オペレータや印刷現場の管理者等が、色合わせを行う前に、第１の修正工程〔測定濃度差（又は測定色差）が第１の許容濃度差（又は第１の許容色差）より小さい全ての領域に対して濃度調整（色彩調整）を行わない工程〕、第２の修正工程〔測定濃度差（又は測定色差）が第２の許容濃度差（又は第２の許容色差）より小さい全ての領域に対して濃度調整（色彩調整）を行わない工程〕、第３の修正工程〔測定濃度差（又は測定色差）が第１の許容濃度差（又は第１の許容色差）より小さい、又は、第２の許容濃度差（又は第２の許容色差）より大きい全ての領域に対して濃度調整（色彩調整）を行わない工程〕の何れの工程を用いるかを選択することができるので、これら３つの中から最適な修正工程を選択することによって、紙面上のインキ膜厚のハンチング現象の発生を抑制することができるようになる。また、印刷物の不慮の事象があっても、損紙の発生を少なくすることができるようになる。
【発明を実施するための最良の形態】
【００２６】
以下、本発明を図面に基づいて詳細に説明する。
〔実施の形態１〕
図１はこの発明の一実施の形態を示す濃度測定及びインキ供給量調整装置（以下、単にインキ供給量調整装置と呼ぶ）のブロック図である。このインキ供給量調整装置１０は、ＣＰＵ１０Ａ、ＲＡＭ１０Ｂ、ＲＯＭ１０Ｃ、入力装置１０Ｄ、表示器１０Ｅ、出力装置１０Ｆ、入出力インターフェイス（Ｉ／Ｏ，Ｉ／Ｆ）１０Ｇ〜１０Ｋ、測色計１０Ｌ、測色計移動用モータ１０Ｍ、ロータリーエンコーダ１０Ｎ、モータドライバ１０Ｐ、カウンタ１０Ｑ、Ａ／Ｄ変換器１０Ｒ、Ｄ／Ａ変換器１０Ｓ、測色計原点位置検出器１０ＴおよびメモリＭ１〜Ｍ２１を備えている。
【００２７】
ＣＰＵ１０Ａは、インターフェイス１０Ｇ〜１０Ｋを介して与えられる各種入力情報を得て、ＲＡＭ１０ＢやメモリＭ１〜Ｍ２１にアクセスしながら、ＲＯＭ１０Ｃに格納されたプログラムに従って動作する。入力装置１０Ｄには、印刷状態入力スイッチＳＷ１や濃度測定用のスタートスイッチＳＷ２，制御終了スイッチＳＷ３，許容値条件入力スイッチＳＷ４などが設けられている。ロータリーエンコーダ１０Ｎは、測色計移動用モータ１０Ｍの所定回転数（角度）毎に回転パルスを発生してカウンタ１０Ｑに出力する。
【００２８】
なお、図１において、１１（１１−１〜１１−ｎ）は、図１５４に示した各色のインキキー４（４−１〜４−ｎ）に対応して各個に設けられたインキキー制御装置である。これらインキキー制御装置１１−１〜１１−ｎによって、インキキー４−１〜４−ｎのインキツボローラ３に対する開き量が各個に調整される。
【００２９】
インキキー制御装置１１は、図２に示すように、インキキー駆動用モータドライバ１１Ａと、インキキー駆動用モータ１１Ｂと、ロータリーエンコーダ１１Ｃと、カウンタ１１Ｄと、ＣＰＵ１１Ｅと、ＲＯＭ１１Ｆと、ＲＡＭ１１Ｇと、メモリ１１Ｈ〜１１Ｋと、インターフェース（Ｉ／Ｏ，Ｉ／Ｆ）１１Ｌ，１１Ｍとを備えており、インターフェイス１１Ｌを介してインキ供給量調整装置１０と接続されている。ロータリーエンコーダ１１Ｃは、インキキー駆動用モータ１１Ｂの所定回転数（角度）毎に回転パルスを発生してカウンタ１１Ｄに出力する。
【００３０】
また、図１において、１２（１２−１〜１２−ｍ）は、図１５４に示した各色のインキツボローラ３に対応して各個に設けられたインキツボローラ制御装置である。これらインキツボローラ制御装置１２−１〜１２−ｍによって、各色のインキツボローラ３の送り量（回転量）が各個に調整される。
【００３１】
インキツボローラ制御装置１２は、図３に示すように、インキツボローラ駆動用モータドライバ１２Ａと、インキツボローラ駆動用モータ１２Ｂと、ロータリーエンコーダ１２Ｃと、Ｆ／Ｖ変換器１２Ｄと、Ａ／Ｄ変換器１２Ｅと、ＣＰＵ１２Ｆと、ＲＯＭ１２Ｇと、ＲＡＭ１２Ｈと、メモリ１２Ｉ〜１２Ｌと、インターフェース（Ｉ／Ｏ，Ｉ／Ｆ）１２Ｍ，１２Ｎとを備えており、インターフェイス１２Ｍを介してインキ供給量調整装置１０と接続されている。ロータリーエンコーダ１２Ｃは、インキツボローラ駆動用モータ１２Ｂの所定回転数（角度）毎に回転パルスを発生してＦ／Ｖ変換器１２Ｄへ送る。Ｆ／Ｖ変換器１２Ｄは、ロータリーエンコーダ１２Ｃからの回転パルスの周波数を電圧に変換し、Ａ／Ｄ変換器１２Ｅへ出力する。
【００３２】
インキ供給量調整装置１０において、メモリＭ１には、入力装置１０Ｄにおける印刷状態入力スイッチＳＷ１のオン／オフ状態が記憶される。メモリＭ２には、入力装置１０Ｄにおける許容値条件入力スイッチＳＷ４のオン／オフ状態が記憶される。メモリＭ３には、カラーバーの全てのパッチの測定濃度差が全て同じ方向であるか否かの各色の情報（後述）が記憶される。メモリＭ４には、カラーバーの各色の基準濃度値が記憶される。
【００３３】
メモリＭ５には、カラーバーの各色の第１の許容濃度差が記憶される。メモリＭ６には、カラーバーの各色の第２の許容濃度差が記憶される。本実施の形態において、各色の第１の許容濃度差と第２の許容濃度差は、第２の許容濃度差が第１の許容濃度差よりも大きいものとして設定される。
【００３４】
メモリＭ９には、測色計によって測定すべきカラーバーの濃度測定用の各色の各パッチの位置が記憶される。メモリＭ１０には、測色計によって採取されるカラーバーの濃度測定用の各色の各パッチの色データが記憶される。メモリＭ１１には、測色計によって採取されるカラーバーの濃度測定用の各色の各パッチの色データから得られる濃度値（測定濃度値）が記憶される。
【００３５】
メモリＭ１２には、測色計によって採取されるカラーバーの濃度測定用の各色の各パッチの色データから得られる濃度値と各色の基準濃度値との差（測定濃度差）が記憶される。メモリＭ１３には、全てのパッチの測定濃度差が全て同じ方向（零を含む）の色について、その色の全てのパッチの測定濃度差の平均値が記憶される。
【００３６】
メモリＭ１４には、全てのパッチの測定濃度差が全て同じ方向（零を含む）の色の全てのパッチの測定濃度差の平均値とインキツボローラの送り量の修正値との関係を示すインキツボローラの送り量の第１の修正値変換用テーブルが記憶される。
メモリＭ１５には、全てのパッチの測定濃度差が全て同じ方向（零を含む）の色の全てのパッチの測定濃度差の平均値とインキツボローラの送り量の修正値との関係を示すインキツボローラの送り量の第２の修正値変換用テーブルが記憶される。
メモリＭ１６には、第１の修正値変換用テーブルあるいは第２の修正値変換テーブルを用いて求められるインキツボローラの送り量の修正値（本発明でいうインキツボローラの送り量の調整値）が記憶される。
【００３７】
メモリＭ１７には、補正された各パッチの測定濃度差（後述）が記憶される。
メモリＭ１８には、各色のパッチの測定濃度差とインキキー開き量の修正量（基準の修正量）との関係を示す第１の修正量変換テーブルが記憶される。
メモリＭ１９には、各色のパッチの測定濃度差とインキキー開き量の修正量（基準の修正量）との関係を示す第２の修正量変換テーブルが記憶される。
メモリＭ２０には、第１の修正量変換テーブルあるいは第２の修正量変換テーブルより求められる各インキキーの開き量の基準の修正量が記憶される。
【００３８】
メモリＭ７には、インキキーの開き量の基準の修正量を修正するための第１の係数（第１のコントロールレシオ）α１が記憶される。
メモリＭ８には、インキキーの開き量の基準の修正量を修正するための第２の係数（第２のコントロールレシオ）α２が記憶される。
本実施の形態において、第１の係数α１と第２の係数α２とは異なっており、α１＞α２とされる。
メモリＭ２１には、第１の係数α１やα２を用いて修正された各インキキーの開き量の修正値（本発明でいうインキキーの開き量の調整値）が記憶される。
【００３９】
測色計１０Ｌは、図４に示すように、支柱１３−１，１３−２間に設けられたボールネジ（送りねじ）１３−３に取り付けられている。ボールネジ１３−３は測色計移動用モータ１０Ｍによって正／逆回転する。このボールネジ１３−３の正／逆回転により、ボールネジ１３−３に案内されながら、測色計１０Ｌが支柱１３−１，１３−２間を移動する。測色計１０Ｌのヘッド部１０Ｌ1 は測定台１３−４の測定対象が置かれる面１３−４ａに向けられている。
【００４０】
〔本刷り開始前の色合わせ（印刷準備段階の色合わせ）〕
本刷り開始前の色合わせに際し、オペレータは、印刷機によって印刷された印刷物９を測定対象として測定台１３−４（図４）にセットする。このセット状態において、印刷物９に印刷されたカラーバー９−２は、測色計１０Ｌのヘッド部１０Ｌ1 の下面に位置する。
【００４１】
この状態で、オペレータは、入力装置１０Ｄを介して色合わせ作業の開始を指示する。これにより、ＣＰＵ１０Ａは、メモリＭ１およびＭ２に「０」を格納する（図５に示すステップ１０１，１０２）。また、メモリＭ３を初期化し、その全ての内容を「０」とする（ステップ１０３）。
【００４２】
次に、オペレータは、各色の基準濃度値と第１の許容濃度差と第２の許容濃度差を入力装置１０Ｄから入力する（ステップ１０４）。また、インキキーの開き量の基準の修正量を修正するための第１の係数α１と第２の係数α２を入力装置１０Ｄから入力する（ステップ１０５）。また、カラーバー９−２における各色の各パッチの位置を入力装置１０Ｄから入力する（ステップ１０６）。なお、各色の第２の許容濃度差は、各色の第１の許容濃度差よりも大きな値として入力する。
【００４３】
ＣＰＵ１０Ａは、入力された各色の基準濃度値をメモリＭ４に格納し、各色の第１の許容濃度差をメモリＭ５に格納し、各色の第２の許容濃度差をメモリＭ６に格納する（ステップ１０４）。また、入力された第１の係数α１をメモリＭ７に格納し、第２の係数α２をメモリＭ８に格納する（ステップ１０５）。また、測色計１０Ｌによって測定すべき各色の各パッチの位置、すなわちカラーバー９−２における濃度測定用の各色の各パッチ９ａの位置（測定位置）を演算し、演算した測定位置をメモりＭ９に格納する（ステップ１０７）。
【００４４】
次に、オペレータは、入力装置１０Ｄの濃度測定用のスタートスイッチＳＷ２をオンとする。この濃度測定用のスタートスイッチＳＷ２のオンにより（ステップ１２０のＹＥＳ）、ＣＰＵ１０Ａは、測色計移動用モータ１０Ｍを正転させる（図６に示すステップ１２２）。測色計移動用モータ１０Ｍの正転によりボールネジ１３−３が正転し、このボールネジ１３−３に案内されて測色計１０Ｌが支柱１３−１に接する原点位置から支柱１３−２方向へ向けて移動する。
【００４５】
なお、ＣＰＵ１０Ａは、ステップ１０７で各色の各パッチの測定位置をメモリＭ９に格納した後、ステップ１０８→ステップ１１３→ステップ１２０→ステップ１２１のループを繰り返すことにより、印刷状態入力スイッチＳＷ１，許容値条件入力スイッチＳＷ４，濃度測定用のスタートスイッチＳＷ２，制御終了スイッチＳＷ３の状態を監視しており、この場合、濃度測定用のスタートスイッチＳＷ２がオンとされたことにより、ステップ１２２へ進んで測色計１０Ｌを移動させる。
【００４６】
ＣＰＵ１０Ａは、測色計現在位置測定用のカウンタ１０Ｑのカウント値を読み込み（ステップ１２３）、この読み込んだカウント値より測色計１０Ｌの現在位置を演算し、この現在位置がメモリＭ９に記憶されている最初の測定位置に達したときに（ステップ１２５のＹＥＳ）、その測定位置に位置するパッチ９ａの色データを測色計１０Ｌにより採取し、採取した色データ（測色データ）をメモリＭ１０に格納する（ステップ１２６，１２７）。
【００４７】
以下同様にして、ＣＰＵ１０Ａは、メモリＭ９に記憶されている測定位置に達するごとに、その測定位置に位置するパッチ９ａの色データを測色計１０Ｌにより採取し、採取した色データをメモリＭ１０に格納して行く。すなわち、ＣＰＵ１０Ａは、測色計１０Ｌを自動走査制御することによって、印刷物９に印刷されたカラーバー９−２の濃度測定用の各色の各パッチ９ａの色データを次々に採取して行く。
【００４８】
ＣＰＵ１０Ａは、印刷物９に印刷されたカラーバー９−２の全てのパッチ９ａの色データ採取が完了したか否かを判断し（ステップ１２８）、採取完了により、測色計移動用モータ１０Ｍの正転を停止させる（ステップ１２９）。次に、測色計移動用モータ１０Ｍを逆転させ（ステップ１３０）、測色計１０Ｌを原点位置へ復帰させた後（ステップ１３１のＹＥＳ）、測色計移動用モータ１０Ｍの逆転を停止させる（ステップ１３２）。
【００４９】
そして、メモリＭ１０に格納された各色の各パッチ９ａの色データより各色の各パッチ９ａの濃度値を算出し、これを測定濃度値としてメモリＭ１１に格納する（ステップ１３３）。本実施の形態では、測色計１０Ｌとして分光計を使用しており、濃度計で各色のベタパッチを測定する時に用いるフィルタの各波長の透過率を分光計からの各波長の出力値に掛け、それらを合計することによって各色の濃度値を求めるようにしている。
【００５０】
そして、ＣＰＵ１０Ａは、メモリＭ４から各色の基準濃度値を読み出し（ステップ１３４）、メモリＭ１１に格納されている各色の各パッチ９ａの測定濃度値と各色の基準濃度値との濃度差を算出し、これを各色の各パッチ９ａの測定濃度差としてメモリＭ１２に格納する（ステップ１３５）。
【００５１】
次に、ＣＰＵ１０Ａは、許容値条件記憶用のメモリＭ２の内容を読み出す（図７に示すステップ１３６）。ここで、ＣＰＵ１０Ａは、メモリＭ２に「０」が格納されていた場合（ステップ１３７のＹＥＳ）、色合わせ用の許容濃度差として第１の許容濃度差を使用するものと判断し、ステップ１３９へ進む。メモリＭ２に「０」が格納されていなかった場合（ステップ１３７のＮＯ）、色合わせ用の許容濃度差として第１の許容濃度差は使用しないと判断し、ステップ１３８へ進む。この場合、メモリＭ２には先のステップ１０２において「０」が格納されているので、ステップ１３９へ進む。
【００５２】
ステップ１３９において、ＣＰＵ１０Ａは、メモリＭ５から最初の色の第１の許容濃度差を読み出す。そして、メモリＭ１２に格納されている最初の色の最初のパッチの測定濃度差を読み出し（ステップ１４０）、この読み出した最初の色の最初のパッチの測定濃度差の絶対値と最初の色の第１の許容濃度差とを比較する（ステップ１４１）。ここで、測定濃度差の絶対値が第１の許容濃度差以下であれば（ステップ１４１のＹＥＳ）、その最初の色の最初のパッチの測定濃度差を零に書き替える（ステップ１４２）。
【００５３】
次に、ＣＰＵ１０Ａは、メモリＭ１２に格納されている最初の色の次のパッチの測定濃度差を読み出し（ステップ１４３）、この読み出した最初の色の次のパッチの測定濃度差の絶対値と最初の色の第１の許容濃度差とを比較する（ステップ１４４）。ここで、測定濃度差の絶対値が第１の許容濃度差以下であれば（ステップ１４４のＹＥＳ）、その最初の色の次のパッチの測定濃度差を零に書き替える（ステップ１４５）。これを最初の色の全てのパッチについて繰り返す。
【００５４】
ＣＰＵ１０Ａは、最初の色と同様にして、メモリＭ１２中の全ての色の全てのパッチについて、その測定濃度差の絶対値がその色の第１の許容濃度差以下であるか否かをチェックし、測定濃度差の絶対値が第１の許容濃度差以下のパッチの測定濃度差を次々に零に書き替えて行く（図８に示すステップ１６７〜１７５）。これにより、後述するように、測定濃度差の絶対値が第１の許容濃度差以下のインキキーについては、そのインキキーに対応する領域の測定濃度差が零とされ、その領域に対する濃度調整が行われなくなる。
【００５５】
次に、ＣＰＵ１０Ａは、メモリＭ１２中の最初の色の全てのパッチについて、その測定濃度差のプラス・マイナスの方向をチェックする（図９に示すステップ１９５）。ここで、最初の色の全てのパッチの測定濃度差が全て同じ方向（零を含む）である場合には（ステップ１９５のＹＥＳ）、インキツボローラの送り量の調整を行うと判断し、メモリＭ３の最初の色用の位置に「１」を入力する（ステップ１９６）。そして、メモリＭ１２中の最初の色の全てのパッチの測定濃度差の平均値を求め、これを最初の色の測定濃度差の平均値としてメモリＭ１３に格納する（ステップ１９７）。メモリＭ１２中の最初の色のパッチの測定濃度差の方向が１つでも違っていれば（ステップ１９５のＮＯ）、インキツボローラの送り量の調整は行わないと判断し、メモリＭ３の最初の色用の位置に「０」を入力する（ステップ１９８）。これを全ての色について繰り返す（ステップ２００〜２０４）。
【００５６】
この後、ＣＰＵ１０Ａは、メモリＭ３の最初の色用の位置の内容を読み出し（図１０に示すステップ２０５）、その内容が「１」であれば（ステップ２０６のＹＥＳ）、すなわち最初の色の全てのパッチの測定濃度差の方向が全て同じであれば、ステップ２０７へ進む。ステップ２０７において、ＣＰＵ１０Ａは、印刷状態記憶用のメモリＭ１に格納されている内容を読み出し、メモリＭ１に「０」が格納されていれば（ステップ２０８のＮＯ）、本刷り開始前の色合わせと判断し、ステップ２０９へ進む。メモリＭ１に「１」が格納されていれば（ステップ２０８のＹＥＳ）、本刷り中の色合わせと判断し、ステップ２１４へ進む。この場合、メモリＭ１には先のステップ１０１において「０」が格納されているので、本刷り開始前の色合わせと判断し、ステップ２０９へ進む。
【００５７】
ステップ２０９において、ＣＰＵ１０Ａは、メモリＭ１３から最初の色の測定濃度差の平均値を読み出す。そして、メモリＭ１４中の最初の色のインキツボローラの送り量の第１の修正値変換用テーブルを用いて、最初の色の測定濃度差の平均値に対応する最初の色のインキツボローラの送り量の修正値を求め、メモリＭ１６に格納する（ステップ２１０）。
【００５８】
また、メモリＭ１２中の最初の色の全てのパッチの測定濃度差から最初の色の測定濃度差の平均値を減算し、これを最初の色の各パッチの補正した測定濃度差としてメモリＭ１７に格納する（ステップ２１１）。また、メモリＭ１２中の最初の色の各パッチの測定濃度差を演算により求めた補正した測定濃度差に書き替える（ステップ２１２）。そして、メモリＭ１８中の最初の色のインキキー開き量の第１の修正量変換テーブルを用いて、最初の色の各パッチの補正した測定濃度差に対応するインキキーの開き量の基準の修正量を求め、メモリＭ２０に格納する（ステップ２１３）。
【００５９】
なお、ＣＰＵ１０Ａは、ステップ２０５で読み出したメモリＭ３の最初の色用の位置の内容が「０」であれば、すなわち最初の色のパッチの測定濃度差の方向が１つでも違っていれば、ステップ２０７ではなく、ステップ２１９へ進む。そして、ステップ２１９において、印刷状態記憶用のメモリＭ１に格納されている内容を読み出し、メモリＭ１に「０」が格納されていた場合（ステップ２２０のＮＯ）、本刷り開始前の色合わせと判断し、ステップ２２１へ進む。メモリＭ１に「１」が格納されていた場合（ステップ２２０のＹＥＳ）、本刷り中の色合わせと判断し、ステップ２２２へ進む。この場合、メモリＭ１には先のステップ１０１において「０」が格納されているので、本刷り開始前の色合わせと判断し、ステップ２２１へ進む。ステップ２２１では、メモリＭ１８中の最初の色のインキキー開き量の第１の修正量変換テーブルを用いて、メモリＭ１２中の最初の色の各パッチの測定濃度差に対応するインキキーの開き量の基準の修正量を求め、メモリＭ２０に格納する。
【００６０】
次に、ＣＰＵ１０Ａは、メモリＭ３の次の色用の位置の内容を読み出し（図１１に示すステップ２２４）、その内容が「１」であれば（ステップ２２５のＹＥＳ）、先のステップ２０７〜２１３に対応するステップ２２６〜２３２の処理によって、次の色の測定濃度差の平均値に対応する次の色のインキツボローラの送り量の修正値を求めてメモリＭ１６に格納し、次の色の各パッチの測定濃度差を補正し、この補正した測定濃度差に対応するインキキーの開き量の基準の修正量をメモリＭ２０に格納する。メモリＭ３の次の色用の位置の内容が「０」であれば（ステップ２２５のＮＯ）、先のステップ２１９〜２２１に対応するステップ２３８〜２４０の処理によって、次の色の各パッチの測定濃度差に対応するインキキーの開き量の基準の修正量を求め、メモリＭ２０に格納する。これを全ての色について繰り返す。
【００６１】
そして、全ての色について処理を完了すれば（ステップ２４２のＹＥＳ）、印刷状態記憶用のメモリＭ１に格納されている内容を読み出し（図１２に示すステップ２４３）、本刷り開始前の色合わせであることを確認して（ステップ２４４のＮＯ）、ステップ２４５へ進む。ステップ２４５において、ＣＰＵ１０Ａは、メモリＭ７から第１の係数α１を読み出す。そして、この読み出した第１の係数α１をメモリＭ２０に格納されている各インキキーの開き量の基準の修正量に掛けて、各インキキーの開き量の修正値を求め、この求めた各インキキーの開き量の修正値をメモリＭ２１に格納する（ステップ２４６）。そして、メモリＭ１６に格納されている各インキツボローラの送り量の修正値を各インキツボローラ制御装置１２へ送り（ステップ２４９）、メモリＭ２１に格納されている各色の各インキキーの開き量の修正値を各色の各インキキー制御装置１１へ送る（ステップ２５０）。
【００６２】
各インキツボローラ制御装置１２（図３）において、ＣＰＵ１２Ｆは、インキ供給量制御装置１０からインキツボローラの送り量の修正値を受けると（図１３に示すステップ８０１のＹＥＳ）、この受け取ったインキツボローラの送り量の修正値をメモリＭ１２Ｌに格納すると共に（ステップ８０２）、Ｆ／Ｖ変換器１２Ｄの出力電圧を読み取り（ステップ８０３）、このＦ／Ｖ変換器１２Ｄの出力電圧から現在のインキツボローラの送り量を求める（ステップ８０４）。
【００６３】
そして、インキ供給量制御装置１０から受け取ったインキツボローラの送り量の修正値と現在のインキツボローラの送り量とから、目標とするインキツボローラの送り量を求め（ステップ８０５）、この求めた目標とするインキツボローラの送り量の回転速度指令をインキツボローラ駆動用モータドライバ１２Ａへ出力する（ステップ８０７）。これにより、インキツボローラの送り量が調整される。
【００６４】
各インキキー制御装置１１（図２）において、ＣＰＵ１１Ｅは、インキ供給量調整装置１０からインキキーの開き量の修正値を受けると（図１４に示すステップ９０１のＹＥＳ）、この受け取った修正値をメモリ１１Ｋに格納するとともに（ステップ９０２）、カウンタ１１Ｄのカウント値を読み取り（ステップ９０３）、この読み取ったカウンタ１１Ｄのカウント値より現在のインキキーの開き量を求める（ステップ９０４）。そして、インキキーの開き量の修正値と現在のインキキーの開き量とから、目標とするインキキーの開き量を求める（ステップ９０５）。
【００６５】
目標とするインキキーの開き量が現在のインキキーの開き量と同じであれば（ステップ９０６のＹＥＳ）、直ちにステップ９１２へ進み、インキ供給量調整装置１０へインキキーの開き量の修正完了信号を出力する。
目標とするインキキーの開き量が現在のインキキーの開き量と同じでない場合には（ステップ９０６のＮＯ）、目標とするインキキーの開き量と現在のインキキーの開き量とが同じになるまでインキキー駆動用モータ１１Ｂを駆動した後（ステップ９０７〜９１１）、インキ供給量調整装置１０へインキキーの開き量の修正完了信号を出力する（ステップ９１２）。
【００６６】
インキ供給量調整装置１０のＣＰＵ１０Ａは、全てのインキキー制御装置１１からのインキキーの開き量の修正完了信号を受けると（図１２に示すステップ２５１のＹＥＳ）、ステップ１０８へ戻り、ステップ１０８→ステップ１１３→ステップ１２０→ステップ１２１のループを繰り返す。このループにおいて、制御終了スイッチＳＷ３がオンとされれば（ステップ１２１のＹＥＳ）、処理を終了する。濃度測定用のスタートスイッチＳＷ２がオンとされれば（ステップ１２０のＹＥＳ）、上述した本刷り開始前の色合わせの処理を再度繰り返す。
【００６７】
この色合わせ処理では、全てのインキキーに対応する領域の測定濃度差の方向が全て同じ方向の色がある場合、その色のインキツボローラの送り量が調整される。これにより、インキキーによるインキ供給量の調整とインキツボローラによるインキ供給量の調整とが同時に行われ、インキ供給量の調整が素早く行われるようになる。この場合、測定濃度差零の領域に対してもインキツボローラによるインキ供給量の調整が行われるが、補正された測定濃度差によってその領域に対応するインキキーの開き量が調整され、すなわちその領域に対するインキキーによるインキ供給量の調整が行われ、インキツボローラによるインキ供給量の調整がインキキーによるインキ供給量の調整によって打ち消されるので、その領域に対する濃度調整が行われることはない。なお、測定濃度差の方向が１つでも違っていれば、その色のインキツボローラの送り量は調整されず、測定濃度差零の領域に対応するインキキーの開き量の調整値が零とされるので、その領域に対する濃度調整は行われない。
【００６８】
〔許容濃度差の変更：ハンチング現象が発生する虞れがある場合〕
オペレータは、印刷物９の領域Ｓ１〜Ｓｎの全てにおいて、各色の測定濃度値と各色の基準濃度値との濃度差が各色の第１の許容濃度差以下となるまで、上述した本刷り開始前の色合わせを繰り返す。すなわち、インキ供給量の調整の効果が現れるまでしばらくの間印刷を続け、新たな印刷物９を抜き取って、再度色合わせを行うという作業を繰り返す。
【００６９】
ここで、オペレータは、前回の色合わせの結果をみて、紙面上のインキ膜厚のハンチング現象が発生する虞れがあると思えば、許容濃度差をそれまでの第１の許容濃度差から第２の許容濃度差に変更する。これにより、次の色合わせからは、測定濃度差の絶対値が第２の許容濃度差（＞第１の許容濃度差）以下のインキキーについて、そのインキキーに対応する領域の測定濃度差が零とされ、その領域に対する濃度調整が行われなくなる。すなわち、インキ供給量の調整を行う際のしきい値が上げられ、これにより紙面上のインキ膜厚のハンチング現象の発生が抑制されるものとなる。
【００７０】
この許容濃度差の変更は許容値条件入力スイッチＳＷ４を操作することによって行う。本実施の形態において、許容値条件入力スイッチＳＷ４は、押されたときのみオンとなり、すぐにオフに復帰する。ＣＰＵ１０Ａは、許容値条件入力スイッチＳＷ４がオンとされると（図５に示すステップ１１３）、許容値条件記憶用のメモリＭ２の内容を読み出す（ステップ１１４）。
【００７１】
ここで、ＣＰＵ１０Ａは、メモリＭ２に「０」が格納されていた場合（ステップ１１５のＹＥＳ）、メモリＭ２の内容を「１」とする（ステップ１１６）。メモリＭ２に「０」が格納されていなかった場合（ステップ１１５のＮＯ）、ステップ１１７へ進む。この場合、メモリＭ２には先のステップ１０２において「０」が格納されているので、ステップ１１６へ進み、メモリＭ２の内容を「１」とする。
【００７２】
このようにして、許容値条件入力スイッチＳＷ４を１回オンとし、許容値条件記憶用のメモリＭ２の内容を「１」としたうえ、オペレータは、濃度測定用のスタートスイッチＳＷ２をオンとする。このスタートスイッチＳＷ２のオンにより（ステップ１２０のＹＥＳ）、ＣＰＵ１０Ａは、図６に示したステップ１２２〜１３５の処理を実行する。
【００７３】
ステップ１３５を経たステップ１３６（図７）において、ＣＰＵ１０Ａは、許容値記憶用のメモリＭ２の内容を読み出す。ここで、ＣＰＵ１０Ａは、メモリＭ２に「１」が格納されているので、ステップ１３７のＮＯ、ステップ１３８のＹＥＳに応じてステップ１４８へ進み、メモリＭ６から最初の色の第２の許容濃度差を読み出す。そして、メモリＭ１２に格納されている最初の色の最初のパッチの測定濃度差を読み出し（ステップ１４９）、この読み出した最初の色の最初のパッチの測定濃度差の絶対値と最初の色の第２の許容濃度差とを比較する（ステップ１５０）。ここで、測定濃度差の絶対値が第２の許容濃度差以下であれば（ステップ１５０のＹＥＳ）、その最初の色の最初のパッチの測定濃度差を零に書き替える（ステップ１５１）。
【００７４】
次に、ＣＰＵ１０Ａは、メモリＭ１２に格納されている最初の色の次のパッチの測定濃度差を読み出し（ステップ１５２）、この読み出した最初の色の次のパッチの測定濃度差の絶対値と最初の色の第２の許容濃度差とを比較する（ステップ１５３）。ここで、測定濃度差の絶対値が第２の許容濃度差以下であれば（ステップ１５３のＹＥＳ）、その最初の色の次のパッチの測定濃度差を零に書き替える（ステップ１５４）。これを最初の色の全てのパッチについて繰り返す。
【００７５】
ＣＰＵ１０Ａは、最初の色と同様にして、メモリＭ１２中の全ての色の全てのパッチについて、その測定濃度差の絶対値がその色の第２の許容濃度差以下であるか否かをチェックし、測定濃度差の絶対値が第２の許容濃度差以下のパッチの測定濃度差を次々に零に書き替えて行く（図８に示すステップ１７６〜１８４）。これにより、測定濃度差の絶対値が第２の許容濃度差以下のインキキーについては、そのインキキーに対応する領域の測定濃度差が零とされ、その領域に対する濃度調整が行われなくなる。
【００７６】
〔許容濃度差の変更：印刷物の不慮の事象が発生した場合〕
紙折れ、紙切れ、汚れなど印刷物の不慮の事象が発生し、一時的に印刷物の特定部分の濃度値が大きく変動していたような場合、オペレータは、許容濃度差の範囲をそれまでの第１の許容濃度差以下から、第１の許容濃度差以下および第２許容濃度差以上に変更する。これにより、次回の色合わせからは、測定濃度差の絶対値が第１の許容濃度差と第２の許容濃度差との間にないインキキーについては、そのインキキーに対応する領域の測定濃度差が零とされ、その領域に対する濃度調整が行われなくなる。この結果、測定濃度差の絶対値が第２の許容濃度値を超えていても濃度調整が行われず、一時的な濃度値の変動による損紙の発生を少なくすることができるようになる。
【００７７】
この許容濃度差の変更は許容値条件入力スイッチＳＷ４を操作することによって行う。ＣＰＵ１０Ａは、許容値条件入力スイッチＳＷ４がオン（１回目）とされると、許容値条件記憶用のメモリＭ２に「１」を格納する（ステップ１１３→１１４→１１５→１１６）。許容値条件入力スイッチＳＷ４が再度オン（２回目）とされると、許容値条件記憶用のメモリＭ２に「２」を格納する（ステップ１１３→１１４→１１５→１１７→１１８）。
【００７８】
このようにして、許容値条件入力スイッチＳＷ４を２回オンとし、許容値条件記憶用のメモリＭ２の内容を「２」としたうえ、オペレータは、濃度測定用のスタートスイッチＳＷ２をオンとする。このスタートスイッチＳＷ２のオンにより（ステップ１２０のＹＥＳ）、ＣＰＵ１０Ａは、図６に示したステップ１２２〜１３５の処理を実行する。
【００７９】
ステップ１３５を経たステップ１３６（図７）において、ＣＰＵ１０Ａは、許容値記憶用のメモリＭ２の内容を読み出す。ここで、ＣＰＵ１０Ａは、メモリＭ２に「２」が格納されているので、ステップ１３７，１３８のＮＯに応じてステップ１５７へ進む。ステップ１５７において、ＣＰＵ１０Ａは、メモリＭ５から最初の色の第１の許容濃度差を読み出す。また、ステップ１５８において、メモリＭ６から最初の色の第２の許容濃度差を読み出す。そして、メモリＭ１２に格納されている最初の色の最初のパッチの測定濃度差を読み出し（ステップ１５９）、この読み出した最初の色の最初のパッチの測定濃度差の絶対値と最初の色の第１および第２の許容濃度差とを比較する（ステップ１６０）。ここで、測定濃度差の絶対値が第１の許容濃度差と第２の許容濃度差との間になければ（ステップ１６０のＮＯ）、その最初の色の最初のパッチの測定濃度差を零に書き替える（ステップ１６１）。
【００８０】
次に、ＣＰＵ１０Ａは、メモリＭ１２に格納されている最初の色の次のパッチの測定濃度差を読み出し（ステップ１６２）、この読み出した最初の色の次のパッチの測定濃度差の絶対値と最初の色の第１および第２の許容濃度差とを比較する（ステップ１６３）。ここで、測定濃度差の絶対値が第１の許容濃度差と第２の許容濃度差との間になければ（ステップ１６３のＮＯ）、その最初の色の次のパッチの測定濃度差を零に書き替える（ステップ１６４）。これを最初の色の全てのパッチについて繰り返す。
【００８１】
ＣＰＵ１０Ａは、最初の色と同様にして、メモリＭ１２中の全ての色の全てのパッチについて、その測定濃度差の絶対値がその色の第１の許容濃度差と第２の許容濃度差との間にあるか否かをチェックし、測定濃度差の絶対値が第１の許容濃度差と第２の許容濃度差との間にないパッチの測定濃度差を次々に零に書き替えて行く（図８に示すステップ１８５〜１９４）。これにより、測定濃度差の絶対値が第１の許容濃度差と第２の許容濃度差との間にないインキキーについては、そのインキキーに対応する領域の測定濃度差が零とされ、その領域に対する濃度調整が行われなくなる。
【００８２】
〔本刷り中の色合わせ〕
本刷り中の色合わせを行う場合、オペレータは、印刷状態入力スイッチＳＷ１をオンとする。本実施の形態において、印刷状態入力スイッチＳＷ１は、押されたときのみオンとなり、すぐにオフに復帰する。ＣＰＵ１０Ａは、印刷状態入力スイッチＳＷ１がオンとされると（図５に示すステップ１０８のＹＥＳ）、印刷状態記憶用のメモリＭ１の内容を読み出す（ステップ１０９）。
【００８３】
ここで、ＣＰＵ１０Ａは、メモリＭ１に「０」が格納されていた場合（ステップ１１０のＹＥＳ）、メモリＭ１の内容を「１」とする（ステップ１１１）。メモリＭ１に「１」が格納されていた場合（ステップ１１０のＮＯ）、メモリＭ１の内容を「０」とする（ステップ１１２）。この場合、メモリＭ１には先のステップ１０１において「０」が格納されているので、ステップ１１１へ進み、メモリＭ１の内容を「１」とする。
【００８４】
次に、オペレータは、濃度測定用のスタートスイッチＳＷ２をオンとする。このスタートスイッチＳＷ２のオンにより（ステップ１２０のＹＥＳ）、ＣＰＵ１０Ａは、図６に示したステップ１２２〜１３５の処理を実行する。
【００８５】
ステップ１３５を経たステップ１３６（図７）において、ＣＰＵ１０Ａは、許容値条件記憶用のメモリＭ２の内容を読み出す。ここで、ＣＰＵ１０Ａは、メモリＭ２に「０」が格納されている場合にはステップ１３９〜１４７、ステップ１６７〜１７５（図８）の処理を実行し、メモリＭ２に「１」が格納されている場合にはステップ１４８〜１５６、ステップ１７６〜１８４（図８）の処理を実行し、メモリＭ２に「２」が格納されている場合にはステップ１５７〜１６６、ステップ１８５〜１９４（図８）の処理を実行し、ステップ１９５（図９）へ進む。
【００８６】
そして、ステップ１９５〜２０５（図１０）の処理を実行し、メモリＭ３の最初の色用の位置の内容が「１」であればステップ２０７へ進み、「１」でなければステップ２１９へ進む。ステップ２０７において、ＣＰＵ１０Ａは、印刷状態記憶用のメモリＭ１の内容を読み取る。ここで、ＣＰＵ１０Ａは、メモリＭ１に「０」が格納されていた場合（ステップ２０８のＮＯ）、本刷り開始前の色合わせと判断し、ステップ２０９へ進む。メモリＭ１に「１」が格納されていた場合（ステップ２０８のＹＥＳ）、本刷り中の色合わせと判断し、ステップ２１４へ進む。この場合、メモリＭ１には先のステップ１１１において「１」が格納されているので、本刷り中の色合わせと判断し、ステップ２１４へ進む。
【００８７】
ステップ２１４において、ＣＰＵ１０Ａは、メモリＭ１３から最初の色の測定濃度差の平均値を読み出す。そして、メモリＭ１５中の最初の色のインキツボローラの送り量の第２の修正値変換用テーブルを用いて、最初の色の測定濃度差の平均値に対応する最初の色のインキツボローラの送り量の修正値を求め、メモリＭ１６に格納する（ステップ２１５）。
【００８８】
また、メモリＭ１２中の最初の色の全てのパッチの測定濃度差から最初の色の測定濃度差の平均値を減算し、これを最初の色の各パッチの補正した測定濃度差としてメモリＭ１７に格納する（ステップ２１６）。また、メモリＭ１２中の最初の色の各パッチの測定濃度差を演算により求めた補正した測定濃度差に書き替える（ステップ２１７）。そして、メモリＭ１９中の最初の色のインキキー開き量の第２の修正量変換テーブルを用いて、メモリＭ１２中の最初の色の各パッチの補正した測定濃度差に対応するインキキーの開き量の基準の修正量を求め、メモリＭ２０に格納する（ステップ２１８）。
【００８９】
ステップ２１９において、ＣＰＵ１０Ａは、印刷状態記憶用のメモリＭ１に格納されている内容を読み出す。この場合、メモリＭ１には「１」が格納されているので（ステップ２２０のＹＥＳ）、本刷り中の色合わせと判断し、ステップ２２２へ進む。ステップ２２２では、メモリＭ１９中の最初の色のインキキー開き量の第２の修正量変換テーブルを用いて、メモリＭ１２中の最初の色の各パッチの測定濃度差に対応するインキキーの開き量の基準の修正量を求め、メモリＭ２０に格納する。
【００９０】
そして、全ての色について処理を完了すれば（図１１に示すステップ２４２のＹＥＳ）、印刷状態記憶用のメモリＭ１に格納されている内容を読み出し（図１２に示すステップ２４３）、本刷り中の色合わせであることを確認して（ステップ２４４のＹＥＳ）、ステップ２４７へ進む。ステップ２４７において、ＣＰＵ１０Ａは、メモリＭ８から第２の係数α２を読み出す。そして、この読み出した第２の係数α２をメモリＭ２０に格納されている各インキキーの開き量の基準の修正量に掛けて、各インキキーの開き量の修正値を求め、この求めた修正値をメモリＭ２１に格納する（ステップ２４８）。そして、メモリＭ１６に格納されている各インキツボローラの送り量の修正値を各インキツボローラ制御装置１２へ送り（ステップ２４９）、メモリＭ２１に格納されている各色の各インキキーの開き量の修正値を各色の各インキキー制御装置１１へ送る（ステップ２５０）。
【００９１】
そして、全てのインキキー制御装置１１からのインキキーの開き量の修正完了信号を受けて（ステップ２５１のＹＥＳ）、ステップ１０８へ戻り、ステップ１０８→ステップ１１３→ステップ１２０→ステップ１２１のループを繰り返す。このループにおいて、制御終了スイッチＳＷ３がオンとされれば（ステップ１２１のＹＥＳ）、処理を終了する。濃度測定用のスタートスイッチＳＷ２がオンとされれば（ステップ１２０のＹＥＳ）、上述した本刷り中の色合わせの処理を再度繰り返す。
【００９２】
〔実施の形態２〕
実施の形態１では、本刷り開始前の色合わせと本刷り中の色合わせとで、同一の第１および第２の許容濃度差が用いられる。本刷り開始前の色合わせの際には、インカー内のインキ量が印刷しようとする印刷物に必要とされるインキ量と大きく異なる場合が多いため、測定濃度差は大きくなる。これに対し、本刷り中の色合わせの際には、インカー内のインキ量が印刷しようとする印刷物に必要とされるインキ量とあまり違わないため、測定濃度差は小さくなる。そこで、実施の形態２では、本刷り開始前の色合わせ用の第１および第２の許容濃度差とは別に、本刷り中の色合わせ用の第１および第２の許容濃度差を設定する。また、本刷り中の色合わせ用の第１および第２の許容濃度差は、本刷り開始前の色合わせ用の第１および第２の許容濃度差よりも小さくする。
【００９３】
図１５にこの実施の形態２のインキ供給量調整装置のブロック図を示す。同図において、図１と同一符号は同一或いは同等構成要素を示す。この実施の形態２では、入力装置１０Ｄに、本刷り開始前の色合わせ用の許容値条件入力スイッチＳＷ４１と、本刷り中の色合わせ用の許容値条件入力スイッチＳＷ４２とを設ける。また、許容値条件記憶用メモリとして、本刷り開始前の色合わせ用の許容値条件記憶用メモリＭ２２と本刷り中の色合わせ用の許容値条件記憶用メモリＭ２３を設ける。また、各色の第１の許容濃度差記憶用メモリとして、各色の本刷り開始前の色合わせ用の第１の許容濃度差記憶用メモリＭ２４と各色の本刷り中の色合わせ用の第１の許容濃度差記憶用メモリＭ２６を設け、各色の第２の許容濃度差記憶用メモリとして、各色の本刷り開始前の色合わせ用の第２の許容濃度差記憶用メモリＭ２５と、各色の本刷り中の色合わせ用の第２の許容濃度差記憶用メモリＭ２７を設ける。
【００９４】
図１６〜図２６にこのインキ供給量調整装置１０のＣＰＵ１０Ａが行う処理動作を示す。図１６〜図２６において、図５〜図１４と同一符号は同一処理内容を示し、その説明は省略する。
【００９５】
この実施の形態２において、オペレータは、ステップ１０４’（図１６）において、各色の基準濃度値と、本刷り開始前の色合わせ用の第１および第２の許容濃度差と、本刷り中の色合わせ用の第１および第２の許容濃度差を入力する。この場合、本刷り中の色合わせ用の第１および第２の許容濃度差は、本刷り開始前の色合わせ用の第１および第２の許容濃度差よりも小さな値として入力する。入力された本刷り開始前の色合わせ用の第１および第２の許容濃度差はメモリＭ２４およびメモリＭ２５に格納される。入力された本刷り中の色合わせ用の第１および第２の許容濃度差はメモリＭ２６およびメモリＭ２７に格納される。
【００９６】
〔本刷り開始前の色合わせ用の許容濃度差の変更〕
本刷り開始前の色合わせ用の許容値条件記憶用メモリＭ２２には最初は「０」が格納されている。ステップ１１３ａ（図１７）において、本刷り開始前の色合わせ用の許容値条件入力スイッチＳＷ４１を１回オンとすると、本刷り開始前の色合わせ用の許容値条件記憶用メモリＭ２２に「１」が格納される（ステップ１１３ａ→１１４ａ→１１５ａ→１１６ａ）。本刷り開始前の色合わせ用の許容値条件入力スイッチＳＷ４１を２回オンとすると、本刷り開始前の色合わせ用の許容値条件記憶用メモリＭ２２に「２」が格納される（ステップ１１３ａ→１１４ａ→１１５ａ→１１７ａ→１１８ａ）。
【００９７】
濃度測定用のスタートスイッチＳＷ２がオンとされると（ステップ１２０のＹＥＳ）、ＣＰＵ１０Ａは、図１８に示したステップ１２２〜１３５の処理を実行する。
ステップ１３５を経たステップ２５２（図１９）において、ＣＰＵ１０Ａは、印刷状態記憶用のメモリＭ１の内容を読み取る。ここで、ＣＰＵ１０Ａは、メモリＭ１に「０」が格納されていた場合（ステップ２５３のＮＯ）、本刷り開始前の色合わせと判断し、ステップ１３６ａへ進む。メモリＭ１に「１」が格納されていた場合（ステップ２５３のＹＥＳ）、本刷り中の色合わせと判断し、ステップ１３６ｂ（図２１）へ進む。この場合、メモリＭ１には先のステップ１０１において「０」が格納されているので、本刷り開始前の色合わせと判断し、ステップ１３６ａへ進む。
【００９８】
ステップ１３６ａにおいて、ＣＰＵ１０Ａは、最初の色の本刷り開始前の許容値条件記憶用のメモリＭ２２の内容を読み出す。ここで、ＣＰＵ１０Ａは、メモリＭ２２に「０」が格納されている場合にはステップ１３９ａ〜１４７ａ、ステップ１６７ａ〜１７５ａ（図２０）の処理を実行し、メモリＭ２２に「１」が格納されている場合にはステップ１４８ａ〜１５６ａ、ステップ１７６ａ〜１８４ａ（図２０）の処理を実行し、メモリＭ２２に「２」が格納されている場合にはステップ１５７ａ〜１６６ａ、ステップ１８５ａ〜１９４ａ（図２０）の処理を実行し、ステップ１９５（図２３）へ進む。
【００９９】
〔本刷り中の色合わせにおける許容濃度差の変更〕
本刷り中の色合わせ用の許容値条件記憶用メモリＭ２３には最初は「０」が格納されている。ステップ１１３ｂ（図１７）において、本刷り中の色合わせ用の許容値条件入力スイッチＳＷ４２を１回オンとすると、本刷り中の色合わせ用の許容値条件記憶用メモリＭ２３に「１」が格納される（ステップ１１３ｂ→１１４ｂ→１１５ｂ→１１６ｂ）。本刷り中の色合わせ用の許容値条件入力スイッチＳＷ４２を２回オンとすると、本刷り中の色合わせ用の許容値条件記憶用メモリＭ２３に「２」が格納される（ステップ１１３ｂ→１１４ｂ→１１５ｂ→１１７ｂ→１１８ｂ）。
【０１００】
濃度測定用のスタートスイッチＳＷ２がオンとされると（ステップ１２０のＹＥＳ）、ＣＰＵ１０Ａは、図１８に示したステップ１２２〜１３５の処理を実行する。
ステップ１３５を経たステップ２５２（図１９）において、ＣＰＵ１０Ａは、印刷状態記憶用のメモリＭ１の内容を読み取る。ここで、ＣＰＵ１０Ａは、メモリＭ１に「０」が格納されていた場合（ステップ２５３のＮＯ）、本刷り開始前の色合わせと判断し、ステップ１３６ａへ進む。メモリＭ１に「１」が格納されていた場合（ステップ２５３のＹＥＳ）、本刷り中の色合わせと判断し、ステップ１３６ｂ（図２１）へ進む。
【０１０１】
本刷りを行う場合、オペレータは、印刷状態入力スイッチＳＷ１をオンとする（ステップ１０８のＹＥＳ）。これにより、印状状態記憶用のメモリＭ１には「１」が格納される（ステップ１０９→１１０→１１１）。このため、ＣＰＵ１０Ａは、ステップ２５３において本刷り中の色合わせと判断し、ステップ１３６ｂへ進む。
【０１０２】
ステップ１３６ｂにおいて、ＣＰＵ１０Ａは、最初の色の本刷り中の許容値条件記憶用のメモリＭ２３の内容を読み出す。ここで、ＣＰＵ１０Ａは、メモリＭ２３に「０」が格納されている場合にはステップ１３９ｂ〜１４７ｂ、ステップ１６７ｂ〜１７５ｂ（図２２）の処理を実行し、メモリＭ２３に「１」が格納されている場合にはステップ１４８ｂ〜１５６ｂ、ステップ１７６ｂ〜１８４ｂ（図２２）の処理を実行し、メモリＭ２３に「２」が格納されている場合にはステップ１５７ｂ〜１６６ｂ、ステップ１８５ｂ〜１９４ｂ（図２２）の処理を実行し、ステップ１９５（図２３）へ進む。
【０１０３】
〔実施の形態３〕
実施の形態１では、印刷物の濃度値をインキキーに対応する領域毎に測定し、この測定した濃度値と基準濃度値との濃度差（測定濃度差）を求め、この測定濃度差の絶対値が第１の許容濃度差以下のインキキー（許容値条件「０」の場合）、あるいは第２の許容濃度差以下のインキキー（許容値条件「１」の場合）、あるいは第１の許容濃度差と第２の許容濃度差との間にないインキキー（許容値条件「２」の場合）については、そのインキキーに対応する領域の測定濃度差を零としたうえ、インキキーに対応する全ての領域の測定濃度差が全て同じ方向（零を含む）である場合、その測定濃度差の平均値に応じてインキツボローラの送り量を調整すると共に、測定濃度差の平均値を減ずることによって補正した測定濃度差に基づいてインキキーの開き量を調整するようにした。
【０１０４】
これに対し、実施の形態３では、印刷物の濃度値をインキキーに対応する領域毎に測定し、この測定した濃度値と基準濃度値との濃度差（測定濃度差）を求めた後、直ぐにインキキーに対応する領域毎に測定濃度差の方向を求める。そして、全ての領域の測定濃度差が全て同じ方向（零を含む）である場合、その測定濃度差の平均値に応じてインキツボローラの送り量を調整する。但し、許容値条件が「２」である場合、その絶対値が第２の許容濃度差を超える測定濃度差は平均値の算出から除外する。また、測定濃度差の平均値を減ずることによって補正した測定濃度差からインキキーの開き量の基準の修正量を求め、補正した測定濃度差の絶対値が第１の許容濃度差以下のインキキー（許容値条件「０」の場合）、あるいは第２の許容濃度差以下のインキキー（許容値条件「１」の場合）、あるいは第１の許容濃度差と第２の許容濃度差との間にないインキキー（許容値条件「２」の場合）については、インキキーの開き量の基準の修正量を零とする。
【０１０５】
図２７にこの実施の形態３のインキ供給量調整装置のブロック図を示す。同図において、図１と同一符号は同一或いは同等構成要素を示す。この実施の形態３では、インキキー制御実施の有無記憶用のメモリＭ２８を設けている。このメモリＭ２８は、許容値条件が「２」の場合、測定濃度差の絶対値が第２の許容濃度差を超える測定濃度差を平均値の算出から除外するために用いる。図２８〜図３７にこのインキ供給量調整装置１０のＣＰＵ１０Ａが行う処理動作を示す。図２８〜図３７において、図５〜図１４と同一符号は同一処理内容を示し、その説明は省略する。
【０１０６】
濃度測定用のスタートスイッチＳＷ２をオンとすると（図２８に示すステップ１２０のＹＥＳ）、ＣＰＵ１０Ａは、図２９に示すステップ１２２〜１３５の処理を実行した後、メモリＭ１２中の最初の色の全てのパッチについて、その測定濃度差のプラス・マイナスの方向をチェックする（図３０に示すステップ２５４）。
【０１０７】
ここで、最初の色の全てのパッチの測定濃度差の方向（零を含む）が全て同じである場合には（ステップ２５４のＹＥＳ）、インキツボローラの送り量の調整を行うと判断し、メモリＭ３の最初の色用の位置に「１」を入力する（ステップ２５５）。メモリＭ１２中の最初の色のパッチの測定濃度差の方向（零を含む）が１つでも違っていれば（ステップ２５４のＮＯ）、インキツボローラの送り量の調整は行わないと判断し、メモリＭ３の最初の色用の位置に「０」を入力する（ステップ２５６）。これを全ての色について繰り返す（ステップ２５８〜２６１）。
【０１０８】
そして、ＣＰＵ１０Ａは、メモリＭ３の最初の色用の位置の内容を読み出し（図３１に示すステップ２６２）、その内容が「１」であれば（ステップ２６３のＹＥＳ）、すなわち最初の色の全てのパッチの測定濃度差の方向が全て同じであれば、許容値条件記憶用のメモリＭ２に格納されている内容を読み出す（ステップ２６４）。
【０１０９】
ここで、ＣＰＵ１０Ａは、メモリＭ２に「２」が格納されているか否かをチェックし（ステップ２６５）、メモリＭ２に「２」が格納されていなければ、すなわ許容値条件が「０」あるいは「１」であれば、インキキー制御実施の有無記憶用のメモリＭ２８の最初の色の全てのパッチの位置に「１」を書き込む。
【０１１０】
これに対し、メモリＭ２に「２」が格納されていれば、すなわち許容値条件が「２」であれば、メモリＭ６から最初の色の第２の許容濃度差を読み出し（ステップ２６７）、またメモリＭ１２から最初の色の最初のパッチの測定濃度差を読み出し（ステップ２６８）、この読み出した最初の色の最初のパッチの測定濃度差の絶対値と最初の色の第２の許容濃度差とを比較する（ステップ２６９）。
【０１１１】
そして、最初の色の最初のパッチの測定濃度差の絶対値が最初の色の第２の許容濃度差を超えていなければ（ステップ２６９のＮＯ）、インキキー制御実施の有無記憶用のメモリＭ２８の最初の色の最初のパッチの位置に「１」を書き込む（ステップ２７０）。最初の色の最初のパッチの測定濃度差の絶対値が最初の色の第２の許容濃度差を超えていれば（ステップ２６９のＹＥＳ）、インキキー制御実施の有無記憶用のメモリＭ２８の最初の色の最初のパッチの位置に「０」を書き込む（ステップ２７１）。
【０１１２】
同様にして、ＣＰＵ１０Ａは、メモリＭ１２に格納されている最初の色の次のパッチの測定濃度差を読み出し（ステップ２７２）、この読み出した最初の色の次のパッチの測定濃度差の絶対値と最初の色の第２の許容濃度差とを比較する（ステップ２７３）。ここで、最初の色の次のパッチの測定濃度差の絶対値が最初の色の第２の許容濃度差を超えていなければ（ステップ２７３のＮＯ）、インキキー制御実施の有無記憶用のメモリＭ２８の最初の色の次のパッチの位置に「１」を書き込む（ステップ２７４）。最初の色の次のパッチの測定濃度差の絶対値が最初の色の第２の許容濃度差を超えていれば（ステップ２７３のＹＥＳ）、インキキー制御実施の有無記憶用のメモリＭ２８の最初の色の次のパッチの位置に「０」を書き込む（ステップ２７５）。これを最初の色の全てのパッチについて繰り返す。
【０１１３】
そして、ＣＰＵ１０Ａは、メモリＭ２８中の最初の色用の位置の内容が「１」の全てのパッチの測定濃度差をメモリＭ１２から読み出し、この測定濃度差の平均値を求め、これを最初の色の測定濃度差の平均値としてメモリＭ１３に格納する（ステップ２７７）。この処理によって、許容値条件が「２」である場合、その絶対値が第２の許容濃度差を超える測定濃度差が平均値の算出から除外されるものとなる。
【０１１４】
最初の色の測定濃度差の平均値を求めた後、ＣＰＵ１０Ａは、印刷状態記憶用のメモリＭ１に格納されている内容を読み出し（図３２に示すステップ２８２）、メモリＭ１に「０」が格納されていた場合（ステップ２８３のＮＯ）、本刷り開始前の色合わせと判断し、ステップ２８４へ進む。メモリＭ１に「１」が格納されていた場合（ステップ２８３のＹＥＳ）、本刷り中の色合わせと判断し、ステップ２８９へ進む。
【０１１５】
ステップ２８４において、ＣＰＵ１０Ａは、メモリＭ１３から最初の色の測定濃度差の平均値を読み出す。そして、メモリＭ１４中の最初の色のインキツボローラの送り量の第１の修正値変換用テーブルを用いて、最初の色の測定濃度差の平均値に対応する最初の色のインキツボローラの送り量の修正値を求め、メモリＭ１６に格納する（ステップ２８５）。また、メモリＭ１２中の最初の色の全てのパッチの測定濃度差から最初の色の測定濃度差の平均値を減算し、これを最初の色の各パッチの補正した測定濃度差としてメモリＭ１７に格納する（ステップ２８６）。また、メモリＭ１２中の最初の色の各パッチの測定濃度差を演算により求めた補正した測定濃度差に書き替える（ステップ２８７）。そして、メモリＭ１８中の最初の色のインキキー開き量の第１の修正量変換テーブルを用いて、最初の色の各パッチの補正した測定濃度差に対応するインキキーの開き量の基準の修正量を求め、メモリＭ２０に格納する（ステップ２８８）。
【０１１６】
ステップ２８９において、ＣＰＵ１０Ａは、メモリＭ１３から最初の色の測定濃度差の平均値を読み出す。そして、メモリＭ１５中の最初の色のインキツボローラの送り量の第２の修正値変換用テーブルを用いて、最初の色の測定濃度差の平均値に対応する最初の色のインキツボローラの送り量の修正値を求め、メモリＭ１６に格納する（ステップ２９０）。また、メモリＭ１２中の最初の色の全てのパッチの測定濃度差から最初の色の測定濃度差の平均値を減算し、これを最初の色の各パッチの補正した測定濃度差としてメモリＭ１７に格納する（ステップ２９１）。また、メモリＭ１２中の最初の色の各パッチの測定濃度差を演算により求めた補正した測定濃度差に書き替える（ステップ２９２）。そして、メモリＭ１９中の最初の色のインキキー開き量の第２の修正量変換テーブルを用いて、最初の色の各パッチの補正した測定濃度差に対応するインキキーの開き量の基準の修正量を求め、メモリＭ２０に格納する（ステップ２９３）。
【０１１７】
なお、ＣＰＵ１０Ａは、ステップ２６３で読み出したメモリＭ３の最初の色用の位置の内容が「０」であれば、すなわち最初の色のパッチの測定濃度差の方向が１つでも違っていれば、ステップ２６４ではなく、ステップ２７８へ進む。そして、ステップ２７８において、印刷状態記憶用のメモリＭ１に格納されている内容を読み出し、メモリＭ１に「０」が格納されていた場合（ステップ２７９のＮＯ）、本刷り開始前の色合わせと判断し、ステップ２８０へ進む。メモリＭ１に「１」が格納されていた場合（ステップ２７９のＹＥＳ）、本刷り中の色合わせと判断し、ステップ２８１へ進む。
【０１１８】
ステップ２８０では、メモリＭ１８中の最初の色のインキキー開き量の第１の修正量変換テーブルを用いて、メモリＭ１２中の最初の色の各パッチの測定濃度差に対応するインキキーの開き量の基準の修正量を求め、メモリＭ２０に格納する。ステップ２８１では、メモリＭ１９中の最初の色のインキキー開き量の第２の修正量変換テーブルを用いて、メモリＭ１２中の最初の色の各パッチの測定濃度差に対応するインキキーの開き量の基準の修正量を求め、メモリＭ２０に格納する。
【０１１９】
次に、ＣＰＵ１０Ａは、メモリＭ３の次の色用の位置の内容を読み出し（図３３に示すステップ２９５）、その内容が「１」であれば（ステップ２９６のＹＥＳ）、先のステップ２６４〜２７７、ステップ２８２〜２９４に対応するステップ２９７〜３１０（図３３）、ステップ３１５〜３２７（図３４）の処理によって、次の色の測定濃度差の平均値に対応する次の色のインキツボローラの送り量の修正値を求めてメモリＭ１６に格納し、次の色の各パッチの補正した測定濃度差に対応するインキキーの開き量の基準の修正量を求めてメモリＭ２０に格納する。メモリＭ３の次の色用の位置の内容が「０」であれば（ステップ２９６のＮＯ）、先のステップ２７８〜２８１に対応するステップ３１１〜３１４（図３３）の処理によって、メモリＭ１２中の次の色の各パッチの測定濃度差に対応するインキキーの開き量の基準の修正量を求め、メモリＭ２０に格納する。これを全ての色について繰り返す。
【０１２０】
次に、ＣＰＵ１０Ａは、許容値条件記憶用のメモリＭ２の内容を読み出す（図３５に示すステップ３２８）。ここで、ＣＰＵ１０Ａは、メモリＭ２に「０」が格納されていた場合（ステップ３２９のＹＥＳ）、色合わせ用の許容濃度差として第１の許容濃度差を使用するものと判断し、ステップ３３０へ進む。メモリＭ２に「１」が格納されていた場合（ステップ３３９のＹＥＳ）、色合わせ用の許容濃度差として第２の許容濃度差を使用するものと判断し、ステップ３４０へ進む。メモリＭ２に「２」が格納されていた場合（ステップ３３９のＮＯ）、色合わせ用の許容濃度差として第１および第２の許容濃度差を使用するものと判断し、ステップ３４９へ進む。
【０１２１】
ステップ３３０において、ＣＰＵ１０Ａは、メモリＭ５から最初の色の第１の許容濃度差を読み出す。そして、メモリＭ１２に格納されている最初の色の最初のパッチの測定濃度差を読み出し（ステップ３３１）、この読み出した最初の色の最初のパッチの測定濃度差の絶対値と最初の色の第１の許容濃度差とを比較する（ステップ３３２）。ここで、測定濃度差の絶対値が第１の許容濃度差以下であれば（ステップ３３２のＹＥＳ）、メモリＭ２０中の対応するインキキー開き量の基準の修正量を零に書き替える（ステップ３３３）。
【０１２２】
次に、ＣＰＵ１０Ａは、メモリＭ１２に格納されている最初の色の次のパッチの測定濃度差を読み出し（ステップ３３４）、この読み出した最初の色の次のパッチの測定濃度差の絶対値と最初の色の第１の許容濃度差とを比較する（ステップ３３５）。ここで、測定濃度差の絶対値が第１の許容濃度差以下であれば（ステップ３３５のＹＥＳ）、メモリＭ２０中の対応するインキキー開き量の基準の修正量を零に書き替える（ステップ３３６）。これを最初の色の全てのパッチについて繰り返す。
【０１２３】
ＣＰＵ１０Ａは、最初の色と同様にして、メモリＭ１２中の全ての色の全てのパッチについて、その測定濃度差の絶対値がその色の第１の許容濃度差以下であるか否かをチェックし、測定濃度差の絶対値が第１の許容濃度差以下のパッチに対応するインキキーの開き量の基準の修正量を次々に零に書き替えて行く（図３６に示すステップ３６３〜３７１）。これにより、測定濃度差（インキツボローラの送り量を調整する場合には補正された測定濃度差）の絶対値が第１の許容濃度差以下のインキキーについては、そのインキキーの開き量の修正値が零とされ、インキキーによるインキ供給量の調整が行われなくなる。
【０１２４】
ステップ３４０において、ＣＰＵ１０Ａは、メモリＭ６から最初の色の第２の許容濃度差を読み出す。そして、メモリＭ１２に格納されている最初の色の最初のパッチの測定濃度差を読み出し（ステップ３４１）、この読み出した最初の色の最初のパッチの測定濃度差の絶対値と最初の色の第２の許容濃度差とを比較する（ステップ３４２）。ここで、測定濃度差の絶対値が第２の許容濃度差以下であれば（ステップ３４２のＹＥＳ）、メモリＭ２０中の対応するインキキー開き量の基準の修正量を零に書き替える（ステップ３４３）。
【０１２５】
次に、ＣＰＵ１０Ａは、メモリＭ１２に格納されている最初の色の次のパッチの測定濃度差を読み出し（ステップ３４４）、この読み出した最初の色の次のパッチの測定濃度差の絶対値と最初の色の第２の許容濃度差とを比較する（ステップ３４５）。ここで、測定濃度差の絶対値が第２の許容濃度差以下であれば（ステップ３４５のＹＥＳ）、メモリＭ２０中の対応するインキキー開き量の基準の修正量を零に書き替える（ステップ３４６）。これを最初の色の全てのパッチについて繰り返す。
【０１２６】
ＣＰＵ１０Ａは、最初の色と同様にして、メモリＭ１２中の全ての色の全てのパッチについて、その測定濃度差の絶対値がその色の第２の許容濃度差以下であるか否かをチェックし、測定濃度差の絶対値が第２の許容濃度差以下のパッチに対応するインキキーの開き量の基準の修正量を零に書き替えて行く（図３６に示すステップ３７２〜３８０）。これにより、測定濃度差（インキツボローラの送り量を調整する場合には補正された測定濃度差）の絶対値が第２の許容濃度差以下のインキキーについては、そのインキキーの開き量の修正値が零とされ、インキキーによるインキ供給量の調整が行われなくなる。
【０１２７】
ステップ３４９において、ＣＰＵ１０Ａは、メモリＭ５から最初の色の第１の許容濃度差を読み出す。また、ステップ３５０において、メモリＭ６から最初の色の第２の許容濃度差を読み出す。そして、メモリＭ１２に格納されている最初の色の最初のパッチの測定濃度差を読み出し（ステップ３５１）、この読み出した最初の色の最初のパッチの測定濃度差の絶対値と最初の色の第１および第２の許容濃度差とを比較する（ステップ３５２）。ここで、測定濃度差の絶対値が第１の許容濃度差と第２の許容濃度差との間になければ（ステップ３５２のＮＯ）、メモリＭ２０中の対応するインキキー開き量の基準の修正量を零に書き替える（ステップ３５３）。また、インキキー制御実施の有無記憶用のメモリＭ２８中の最初の色の最初のパッチの位置の内容が「０」であれば（ステップ３５４のＹＥＳ）、そのパッチに対応するメモリＭ２０中のインキキーの開き量の基準の修正量を零に書き替える（ステップ３５５）。
【０１２８】
次に、ＣＰＵ１０Ａは、メモリＭ１２に格納されている最初の色の次のパッチの測定濃度差を読み出し（ステップ３５６）、この読み出した最初の色の次のパッチの測定濃度差の絶対値と最初の色の第１および第２の許容濃度差とを比較する（ステップ３５７）。ここで、測定濃度差の絶対値が第１の許容濃度差と第２の許容濃度差との間になければ（ステップ３５７のＮＯ）、メモリＭ２０中の対応するインキキー開き量の基準の修正量を零に書き替える（ステップ３５８）。また、インキキー制御実施の有無記憶用のメモリＭ２８中の最初の色の次のパッチの位置の内容が「０」であれば（ステップ３５９のＹＥＳ）、そのパッチに対応するメモリＭ２０中のインキキーの開き量の基準の修正量を零に書き替える（ステップ３６０）。これを最初の色の全てのパッチについて繰り返す。
【０１２９】
ＣＰＵ１０Ａは、最初の色と同様にして、メモリＭ１２中の全ての色の全てのパッチについて、その測定濃度差の絶対値がその色の第１の許容濃度差と第２の許容濃度差との間にあるか否かをチェックし、測定濃度差の絶対値が第１の許容濃度差と第２の許容濃度差との間にないパッチおよびメモリＭ２８の位置の内容が「０」であるパッチに対応するインキキーの開き量の基準の修正量を次々に零に書き替えて行く（図３６に示すステップ３８１〜３９４）。これにより、測定濃度差（インキツボローラの送り量を調整する場合には補正された測定濃度差）の絶対値が第１の許容濃度差と第２の許容濃度差との間にないインキキー、および当初の測定濃度差の絶対値が第２の許容濃度差を超えるインキキーについては、そのインキキーの開き量の修正値が零とされ、インキキーによるインキ供給量の調整が行われなくなる。
【０１３０】
〔実施の形態４〕
実施の形態３では、本刷り開始前の色合わせと本刷り中の色合わせとで、同一の第１および第２の許容濃度差が用いられる。前述したように、本刷り開始前の色合わせの際には、インカー内のインキ量が印刷しようとする印刷物に必要とされるインキ量と大きく異なる場合が多いため、測定濃度差は大きくなる。これに対し、本刷り中の色合わせの際には、インカー内のインキ量が印刷しようとする印刷物に必要とされるインキ量とあまり違わないため、測定濃度差は小さくなる。そこで、実施の形態４では、実施の形態２と同様、本刷り開始前の色合わせ用の第１および第２の許容濃度差とは別に、本刷り中の色合わせ用の第１および第２の許容濃度差を設定する。また、本刷り中の色合わせ用の第１および第２の許容濃度差は、本刷り開始前の色合わせ用の第１および第２の許容濃度差よりも小さくする。
【０１３１】
図３８にこの実施の形態４のインキ供給量調整装置のブロック図を示す。同図において、図２７と同一符号は同一或いは同等構成要素を示す。この実施の形態４においても、実施の形態２と同様に、入力装置１０Ｄに、本刷り開始前の色合わせ用の許容値条件入力スイッチＳＷ４１と、本刷り中の色合わせ用の許容値条件入力スイッチＳＷ４２とを設ける。また、許容値条件記憶用メモリとして、本刷り開始前の色合わせ用の許容値条件記憶用メモリＭ２２と本刷り中の色合わせ用の許容値条件記憶用メモリＭ２３を設ける。また、各色の第１の許容濃度差記憶用メモリとして、各色の本刷り開始前の色合わせ用の第１の許容濃度差記憶用メモリＭ２４と各色の本刷り中の色合わせ用の第１の許容濃度差記憶用メモリＭ２６を設け、各色の第２の許容濃度差記憶用メモリとして、各色の本刷り開始前の色合わせ用の第２の許容濃度差記憶用メモリＭ２５と、各色の本刷り中の色合わせ用の第２の許容濃度差記憶用メモリＭ２７を設ける。
【０１３２】
図３９〜図５５にこのインキ供給量調整装置１０のＣＰＵ１０Ａが行う処理動作を示す。図３９〜図５５において、図２８〜図３７と同一符号は同一処理内容を示し、その説明は省略する。
【０１３３】
この実施の形態４において、オペレータは、ステップ１０４’（図３９）において、各色の基準濃度値と、本刷り開始前の色合わせ用の第１および第２の許容濃度差と、本刷り中の色合わせ用の第１および第２の許容濃度差を入力する。この場合、本刷り中の色合わせ用の第１および第２の許容濃度差は、本刷り開始前の色合わせ用の第１および第２の許容濃度差よりも小さな値として入力する。入力された本刷り開始前の色合わせ用の第１および第２の許容濃度差はメモリＭ２４およびメモリＭ２５に格納される。入力された本刷り中の色合わせ用の第１および第２の許容濃度差はメモリＭ２６およびメモリＭ２７に格納される。
【０１３４】
〔本刷り開始前の色合わせ用の許容濃度差の変更〕
本刷り開始前の色合わせ用の許容値条件記憶用メモリＭ２２には最初は「０」が格納されている。ステップ１１３ａ（図４０）において、本刷り開始前の色合わせ用の許容値条件入力スイッチＳＷ４１を１回オンとすると、本刷り開始前の色合わせ用の許容値条件記憶用メモリＭ２２に「１」が格納される。本刷り開始前の色合わせ用の許容値条件入力スイッチＳＷ４１を２回オンとすると、本刷り開始前の色合わせ用の許容値条件記憶用メモリＭ２２に「２」が格納される。
【０１３５】
濃度測定用のスタートスイッチＳＷ２がオンとされると（ステップ１２０のＹＥＳ）、ＣＰＵ１０Ａは、図４１に示したステップ１２２〜１３５の処理を実行し、図４２に示したステップ２５４〜２６１の処理を経て、図４３に示すステップ２５２へ進む。ステップ２５２において、ＣＰＵ１０Ａは、印刷状態記憶用のメモリＭ１の内容を読み取る。ここで、ＣＰＵ１０Ａは、メモリＭ１に「０」が格納されていた場合（ステップ２５３のＮＯ）、本刷り開始前の色合わせと判断し、ステップ２６２ａへ進む。メモリＭ１に「１」が格納されていた場合（ステップ２５３のＹＥＳ）、本刷り中の色合わせと判断し、ステップ２６２ｂ（図４９）へ進む。
【０１３６】
この場合、メモリＭ１には先のステップ１０１において「０」が格納されているので、本刷り開始前の色合わせと判断し、ステップ２６２ａへ進む。ステップ２６２ａ以降の処理において、ＣＰＵ１０Ａは、本刷り開始前の許容値条件記憶用のメモリＭ２２の内容に従い、メモリＭ２４に格納されている本刷り開始前の第１の許容濃度差やメモリＭ２５に格納されている本刷り開始前の第２の許容濃度差を使用する。
【０１３７】
〔本刷り中の色合わせにおける許容濃度差の変更〕
本刷り中の色合わせ用の許容値条件記憶用メモリＭ２３には最初は「０」が格納されている。ステップ１１３ｂ（図４０）において、本刷り中の色合わせ用の許容値条件入力スイッチＳＷ４２を１回オンとすると、本刷り中の色合わせ用の許容値条件記憶用メモリＭ２３に「１」が格納される。本刷り中の色合わせ用の許容値条件入力スイッチＳＷ４２を２回オンとすると、本刷り中の色合わせ用の許容値条件記憶用メモリＭ２３に「２」が格納される。
【０１３８】
濃度測定用のスタートスイッチＳＷ２がオンとされると（ステップ１２０のＹＥＳ）、ＣＰＵ１０Ａは、図４１に示したステップ１２２〜１３５の処理を実行し、図４２に示したステップ２５４〜２６１の処理を経て、図４３に示すステップ２５２へ進む。ステップ２５２において、ＣＰＵ１０Ａは、印刷状態記憶用のメモリＭ１の内容を読み取る。ここで、ＣＰＵ１０Ａは、メモリＭ１に「０」が格納されていた場合（ステップ２５３のＮＯ）、本刷り開始前の色合わせと判断し、ステップ２６２ａへ進む。メモリＭ１に「１」が格納されていた場合（ステップ２５３のＹＥＳ）、本刷り中の色合わせと判断し、ステップ２６２ｂ（図４９）へ進む。
【０１３９】
本刷りを行う場合、オペレータは、印刷状態入力スイッチＳＷ１をオンとする（ステップ１０８のＹＥＳ）。これにより、印状状態記憶用のメモリＭ１には「１」が格納される。このため、ＣＰＵ１０Ａは、ステップ２５３において本刷り中の色合わせと判断し、ステップ２６２ｂへ進む。ステップ２６２ｂ以降の処理において、ＣＰＵ１０Ａは、本刷り中の許容値条件記憶用のメモリＭ２３の内容に従い、メモリＭ２６に格納されている本刷り中の第１の許容濃度差やメモリＭ２７に格納されている本刷り中の第２の許容濃度差を使用する。
【０１４０】
〔実施の形態５〕
実施の形態３では、印刷物の濃度値をインキキーに対応する領域毎に測定し、この測定した濃度値と基準濃度値との濃度差（測定濃度差）を求めた後、直ぐにインキキーに対応する領域毎に測定濃度差の方向を求め、全ての領域の測定濃度差が全て同じ方向（零を含む）である場合、その絶対値が第２の許容濃度差を超える測定濃度差を除外して測定濃度差の平均値を求め、この測定濃度差の平均値に応じてインキツボローラの送り量を調整するようにした。
【０１４１】
これに対し、実施の形態５では、許容値条件が「０」あるいは「１」の場合にのみ、インキキーに対応する領域毎に測定濃度差の方向を求め、全ての領域の測定濃度差が全て同じ方向（零を含む）であれば、その絶対値が第２の許容濃度差を超えるか否かに拘わらず、全ての領域の測定濃度差の平均値を求め、この測定濃度差の平均値に応じてインキツボローラの送り量を調整するようにする。すなわち、実施の形態５では、許容値条件が「２」である場合、インキツボローラの送り量の調整は行わない。
【０１４２】
図５６にこの実施の形態５のインキ供給量調整装置のブロック図を示す。このインキ供給量調整装置１０は、実施の形態１のインキ供給量調整装置１０（図１）と同構成であり、実施の形態１のインキ供給量調整装置１０とはＣＰＵ１０Ａの処理動作が異なる。図５７〜図６４にこのインキ供給量調整装置１０のＣＰＵ１０Ａが行う処理動作を示す。図５７〜図６４において、図５〜図１４と同一符号は同一処理内容を示し、その説明は省略する。
【０１４３】
濃度測定用のスタートスイッチＳＷ２をオンとすると（図５７に示すステップ１２０のＹＥＳ）、ＣＰＵ１０Ａは、図５８に示すステップ１２２〜１３５の処理を実行した後、許容値条件記憶用のメモリＭ２の内容を読み出し（図５９に示すステップ３９６）、その内容をチェックする（ステップ３９７）。ここで、メモリＭ２の内容が「２」でない場合、すなわちメモリＭ２の内容が「０」あるいは「１」である場合（ステップ３９７のＮＯ）、メモリＭ１２中の最初の色の全てのパッチについて、その測定濃度差のプラス・マイナスの方向をチェックする（ステップ３９８）。
【０１４４】
ここで、最初の色の全てのパッチの測定濃度差の方向（零を含む）が全て同じである場合には（ステップ３９８のＹＥＳ）、インキツボローラの送り量の調整を行うと判断し、メモリＭ３の最初の色用の位置に「１」を入力する（ステップ３９９）。そして、メモリＭ１２中の最初の色の全てのパッチの測定濃度差の平均値を求め、これを最初の色の測定濃度差の平均値としてメモリＭ１３に格納する（ステップ４０１）。メモリＭ１２中の最初の色のパッチの測定濃度差の方向が１つでも違っていれば（ステップ３９８のＮＯ）、インキツボローラの送り量の調整は行わないと判断し、メモリＭ３の最初の色用の位置に「０」を入力する（ステップ４００）。これを全ての色について繰り返す（ステップ４０２〜４０７）。
【０１４５】
なお、メモリＭ２の内容が「２」である場合には（ステップ３９７のＹＥＳ）、すなわち許容値条件が「２」である場合には、印刷状態記憶用のメモリＭ１に格納されている内容を読み出し（ステップ４０９）、メモリＭ１に「０」が格納されていた場合（ステップ４０９のＮＯ）、本刷り開始前の色合わせと判断し、ステップ４１０へ進む。メモリＭ１に「１」が格納されていた場合（ステップ４０９のＹＥＳ）、本刷り中の色合わせと判断し、ステップ４１１へ進む。
【０１４６】
ステップ４１０では、メモリＭ１８中の最初の色のインキキー開き量の第１の修正量変換テーブルを用いて、メモリＭ１２中の最初の色の各パッチの測定濃度差に対応するインキキーの開き量の基準の修正量を求め、メモリＭ２０に格納する。ステップ４１１では、メモリＭ１９中の最初の色のインキキー開き量の第２の修正量変換テーブルを用いて、メモリＭ１２中の最初の色の各パッチの測定濃度差に対応するインキキーの開き量の基準の修正量を求め、メモリＭ２０に格納する。
【０１４７】
そして、ＣＰＵ１０Ａは、メモリＭ３の最初の色用の位置の内容を読み出し（図６０に示すステップ２０５）、その内容が「１」であれば（ステップ２０６のＹＥＳ）、すなわち最初の色の全てのパッチの測定濃度差の方向が全て同じであれば、ステップ２０７へ進む。ステップ２０７において、ＣＰＵ１０Ａは、印刷状態記憶用のメモリＭ１に格納されている内容を読み出し（ステップ５１９）、メモリＭ１に「０」が格納されていれば（ステップ２０８のＮＯ）、本刷り開始前の色合わせと判断し、ステップ２０９へ進む。メモリＭ１に「１」が格納されていれば（ステップ２０９のＹＥＳ）、本刷り中の色合わせと判断し、ステップ２１４へ進む。
【０１４８】
ステップ２０９において、ＣＰＵ１０Ａは、メモリＭ１３から最初の色の測定濃度差の平均値を読み出す。そして、メモリＭ１４中の最初の色のインキツボローラの送り量の第１の修正値変換用テーブルを用いて、最初の色の測定濃度差の平均値に対応する最初の色のインキツボローラの送り量の修正値を求め、メモリＭ１６に格納する（ステップ２１０）。また、メモリＭ１２中の最初の色の全てのパッチの測定濃度差から最初の色の測定濃度差の平均値を減算し、これを最初の色の各パッチの補正した測定濃度差としてメモリＭ１７に格納する（ステップ２１１）。また、メモリＭ１２中の最初の色の各パッチの測定濃度差を演算により求めた補正した測定濃度差に書き替える（ステップ２１２）。そして、メモリＭ１８中の最初の色のインキキー開き量の第１の修正量変換テーブルを用いて、最初の色の各パッチの補正した測定濃度差に対応するインキキーの開き量の基準の修正量を求め、メモリＭ２０に格納する（ステップ２１３）。
【０１４９】
ステップ２１４において、ＣＰＵ１０Ａは、メモリＭ１３から最初の色の測定濃度差の平均値を読み出す。そして、メモリＭ１５中の最初の色のインキツボローラの送り量の第２の修正値変換用テーブルを用いて、最初の色の測定濃度差の平均値に対応する最初の色のインキツボローラの送り量の修正値を求め、メモリＭ１６に格納する（ステップ２１５）。また、メモリＭ１２中の最初の色の全てのパッチの測定濃度差から最初の色の測定濃度差の平均値を減算し、これを最初の色の各パッチの補正した測定濃度差としてメモリＭ１７に格納する（ステップ２１６）。また、メモリＭ１２中の最初の色の各パッチの測定濃度差を演算により求めた補正した測定濃度差に書き替える（ステップ２１７）。そして、メモリＭ１９中の最初の色のインキキー開き量の第２の修正量変換テーブルを用いて、最初の色の各パッチの補正した測定濃度差に対応するインキキーの開き量の基準の修正量を求め、メモリＭ２０に格納する（ステップ２１８）。
【０１５０】
なお、ＣＰＵ１０Ａは、ステップ２０６で読み出したメモリＭ３の最初の色用の位置の内容が「０」であれば、すなわち最初の色のパッチの測定濃度差の方向が１つでも違っていれば、ステップ２０７ではなく、ステップ２１９へ進む。そして、ステップ２１９において、印刷状態記憶用のメモリＭ１に格納されている内容を読み出し、メモリＭ１に「０」が格納されていた場合（ステップ２２０のＮＯ）、本刷り開始前の色合わせと判断し、ステップ２２１へ進む。メモリＭ１に「１」が格納されていた場合（ステップ２２０のＹＥＳ）、本刷り中の色合わせと判断し、ステップ２２２へ進む。
【０１５１】
ステップ２２１では、メモリＭ１８中の最初の色のインキキー開き量の第１の修正量変換テーブルを用いて、メモリＭ１２中の最初の色の各パッチの測定濃度差に対応するインキキーの開き量の基準の修正量を求め、メモリＭ２０に格納する。ステップ２２２では、メモリＭ１９中の最初の色のインキキー開き量の第２の修正量変換テーブルを用いて、メモリＭ１２中の最初の色の各パッチの測定濃度差に対応するインキキーの開き量の基準の修正量を求め、メモリＭ２０に格納する。
【０１５２】
次に、ＣＰＵ１０Ａは、メモリＭ３の次の色用の位置の内容を読み出し（図６１に示す２２４）、その内容が「１」であれば（ステップ２２５のＹＥＳ）、先のステップ２０７〜２１８に対応するステップ２２６〜２３７の処理によって、次の色の測定濃度差の平均値に対応する次の色のインキツボローラの送り量の修正値を求めてメモリＭ１６に格納し、次の色の各パッチの補正した測定濃度差に対応するインキキーの開き量の基準の修正量を求めてメモリＭ２０に格納する。メモリＭ３の次の色用の位置の内容が「０」であれば（ステップ２２５のＮＯ）、先のステップ２１９〜２２２に対応するステップ２３８〜２４１の処理によって、メモリＭ１２中の次の色の各パッチの測定濃度差に対応するインキキーの開き量の基準の修正量を求め、メモリＭ２０に格納する。これを全ての色について繰り返す。
【０１５３】
次に、ＣＰＵ１０Ａは、許容値条件記憶用のメモリＭ２の内容を読み出す（図６２に示すステップ４１２）。ここで、ＣＰＵ１０Ａは、メモリＭ２に「０」が格納されていた場合（ステップ４１３のＹＥＳ）、色合わせ用の許容濃度差として第１の許容濃度差を使用するものと判断し、ステップ４１４へ進む。メモリＭ２に「１」が格納されていた場合（ステップ４２３のＹＥＳ）、色合わせ用の許容濃度差として第２の許容濃度差を使用するものと判断し、ステップ４２４へ進む。メモリＭ２に「２」が格納されていた場合（ステップ４２３のＮＯ）、色合わせ用の許容濃度差として第１および第２の許容濃度差を使用するものと判断し、ステップ４３３へ進む。
【０１５４】
ステップ４１４において、ＣＰＵ１０Ａは、メモリＭ５から最初の色の第１の許容濃度差を読み出す。そして、メモリＭ１２に格納されている最初の色の最初のパッチの測定濃度差を読み出し（ステップ４１５）、この読み出した最初の色の最初のパッチの測定濃度差の絶対値と最初の色の第１の許容濃度差とを比較する（ステップ４１５）。ここで、測定濃度差の絶対値が第１の許容濃度差以下であれば（ステップ４１６のＹＥＳ）、メモリＭ２０中の対応するインキキー開き量の基準の修正量を零に書き替える（ステップ４１７）。
【０１５５】
次に、ＣＰＵ１０Ａは、メモリＭ１２に格納されている最初の色の次のパッチの測定濃度差を読み出し（ステップ４１８）、この読み出した最初の色の次のパッチの測定濃度差の絶対値と最初の色の第１の許容濃度差とを比較する（ステップ４１９）。ここで、測定濃度差の絶対値が第１の許容濃度差以下であれば（ステップ４１９のＹＥＳ）、メモリＭ２０中の対応するインキキー開き量の基準の修正量を零に書き替える（ステップ４２０）。これを最初の色の全てのパッチについて繰り返す。
【０１５６】
ＣＰＵ１０Ａは、最初の色と同様にして、メモリＭ１２中の全ての色の全てのパッチについて、その測定濃度差の絶対値がその色の第１の許容濃度差以下であるか否かをチェックし、測定濃度差の絶対値が第１の許容濃度差以下のパッチに対応するインキキーの開き量の基準の修正量を零に書き替えて行く（図６３に示すステップ４４３〜４５１）。これにより、測定濃度差（インキツボローラの送り量を調整する場合には補正された測定濃度差）の絶対値が第１の許容濃度差以下のインキキーについては、そのインキキーの開き量の修正値が零とされ、インキキーによるインキ供給量の調整が行われなくなる。
【０１５７】
ステップ４２４において、ＣＰＵ１０Ａは、メモリＭ６から最初の色の第２の許容濃度差を読み出す。そして、メモリＭ１２に格納されている最初の色の最初のパッチの測定濃度差を読み出し（ステップ４２５）、この読み出した最初の色の最初のパッチの測定濃度差の絶対値と最初の色の第２の許容濃度差とを比較する（ステップ４２６）。ここで、測定濃度差の絶対値が第２の許容濃度差以下であれば（ステップ４２６のＹＥＳ）、メモリＭ２０中の対応するインキキー開き量の基準の修正量を零に書き替える（ステップ４２７）。
【０１５８】
次に、ＣＰＵ１０Ａは、メモリＭ１２に格納されている最初の色の次のパッチの測定濃度差を読み出し（ステップ４２８）、この読み出した最初の色の次のパッチの測定濃度差の絶対値と最初の色の第２の許容濃度差とを比較する（ステップ４２９）。ここで、測定濃度差の絶対値が第２の許容濃度差以下であれば（ステップ４２９のＹＥＳ）、メモリＭ２０中の対応するインキキー開き量の基準の修正量を零に書き替える（ステップ４３０）。これを最初の色の全てのパッチについて繰り返す。
【０１５９】
ＣＰＵ１０Ａは、最初の色と同様にして、メモリＭ１２中の全ての色の全てのパッチについて、その測定濃度差の絶対値がその色の第２の許容濃度差以下であるか否かをチェックし、測定濃度差の絶対値が第２の許容濃度差以下のパッチに対応するインキキーの開き量の基準の修正量を零に書き替えて行く（図６３に示すステップ４５２〜４６０）。これにより、測定濃度差（インキツボローラの送り量を調整する場合には補正された測定濃度差）の絶対値が第２の許容濃度差以下のインキキーについては、そのインキキーの開き量の修正値が零とされ、インキキーによるインキ供給量の調整が行われなくなる。
【０１６０】
ステップ４３３において、ＣＰＵ１０Ａは、メモリＭ５から最初の色の第１の許容濃度差を読み出す。また、ステップ４３４において、メモリＭ６から最初の色の第２の許容濃度差を読み出す。そして、メモリＭ１２に格納されている最初の色の最初のパッチの測定濃度差を読み出し（ステップ４３５）、この読み出した最初の色の最初のパッチの測定濃度差の絶対値と最初の色の第１および第２の許容濃度差とを比較する（ステップ４３６）。ここで、測定濃度差の絶対値が第１の許容濃度差と第２の許容濃度差との間になければ（ステップ４３６のＮＯ）、メモリＭ２０中の対応するインキキー開き量の基準の修正量を零に書き替える（ステップ４３７）。
【０１６１】
次に、ＣＰＵ１０Ａは、メモリＭ１２に格納されている最初の色の次のパッチの測定濃度差を読み出し（ステップ４３８）、この読み出した最初の色の次のパッチの測定濃度差の絶対値と最初の色の第１および第２の許容濃度差とを比較する（ステップ４３９）。ここで、測定濃度差の絶対値が第１の許容濃度差と第２の許容濃度差との間になければ（ステップ４３９のＮＯ）、メモリＭ２０中の対応するインキキー開き量の基準の修正量を零に書き替える（ステップ４４０）。これを最初の色の全てのパッチについて繰り返す。
【０１６２】
ＣＰＵ１０Ａは、最初の色と同様にして、メモリＭ１２中の全ての色の全てのパッチについて、その測定濃度差の絶対値がその色の第１の許容濃度差と第２の許容濃度差との間にあるか否かをチェックし、測定濃度差の絶対値が第１の許容濃度差と第２の許容濃度差との間にないパッチに対応するインキキーの開き量の基準の修正量を零に書き替えて行く（図６３に示すステップ４６１〜４７０）。これにより、測定濃度差の絶対値が第１の許容濃度差と第２の許容濃度差との間にないインキキーについては、そのインキキーの開き量の修正値が零とされ、インキキーによるインキ供給量の調整が行われなくなる。
【０１６３】
〔実施の形態６〕
図６５にこの実施の形態６のインキ供給量調整装置のブロック図を示す。同図において、図５６と同一符号は同一或いは同等構成要素を示す。この実施の形態６では、実施の形態２や４と同様に、入力装置１０Ｄに、本刷り開始前の色合わせ用の許容値条件入力スイッチＳＷ４１と、本刷り中の色合わせ用の許容値条件入力スイッチＳＷ４２とを設ける。また、許容値条件記憶用メモリとして、本刷り開始前の色合わせ用の許容値条件記憶用メモリＭ２２と本刷り中の色合わせ用の許容値条件記憶用メモリＭ２３を設ける。また、各色の第１の許容濃度差記憶用メモリとして、各色の本刷り開始前の色合わせ用の第１の許容濃度差記憶用メモリＭ２４と各色の本刷り中の色合わせ用の第１の許容濃度差記憶用メモリＭ２６を設け、各色の第２の許容濃度差記憶用メモリとして、各色の本刷り開始前の色合わせ用の第２の許容濃度差記憶用メモリＭ２５と、各色の本刷り中の色合わせ用の第２の許容濃度差記憶用メモリＭ２７を設ける。
【０１６４】
図６６〜図７９にこのインキ供給量調整装置１０のＣＰＵ１０Ａが行う処理動作を示す。図６６〜図７９において、図５７〜図６４と同一符号は同一処理内容を示し、その説明は省略する。
【０１６５】
この実施の形態６において、オペレータは、ステップ１０４’（図６６）において、各色の基準濃度値と、本刷り開始前の色合わせ用の第１および第２の許容濃度差と、本刷り中の色合わせ用の第１および第２の許容濃度差を入力する。この場合、本刷り中の色合わせ用の第１および第２の許容濃度差は、本刷り開始前の色合わせ用の第１および第２の許容濃度差よりも小さな値として入力する。入力された本刷り開始前の色合わせ用の第１および第２の許容濃度差はメモリＭ２４およびメモリＭ２５に格納される。入力された本刷り中の色合わせ用の第１および第２の許容濃度差はメモリＭ２６およびメモリＭ２７に格納される。
【０１６６】
〔本刷り開始前の色合わせ用の許容濃度差の変更〕
本刷り開始前の色合わせ用の許容値条件記憶用メモリＭ２２には最初は「０」が格納されている。ステップ１１３ａ（図６７）において、本刷り開始前の色合わせ用の許容値条件入力スイッチＳＷ４１を１回オンとすると、本刷り開始前の色合わせ用の許容値条件記憶用メモリＭ２２に「１」が格納される。本刷り開始前の色合わせ用の許容値条件入力スイッチＳＷ４１を２回オンとすると、本刷り開始前の色合わせ用の許容値条件記憶用メモリＭ２２に「２」が格納される。
【０１６７】
濃度測定用のスタートスイッチＳＷ２がオンとされると（ステップ１２０のＹＥＳ）、ＣＰＵ１０Ａは、図６８に示したステップ１２２〜１３５の処理を実行し、図６９に示すステップ２５２へ進む。ステップ２５２において、ＣＰＵ１０Ａは、印刷状態記憶用のメモリＭ１の内容を読み取る。ここで、ＣＰＵ１０Ａは、メモリＭ１に「０」が格納されていた場合（ステップ２５３のＮＯ）、本刷り開始前の色合わせと判断し、ステップ３９６ａへ進む。メモリＭ１に「１」が格納されていた場合（ステップ２５３のＹＥＳ）、本刷り中の色合わせと判断し、ステップ３９６ｂ（図７４）へ進む。
【０１６８】
この場合、メモリＭ１には先のステップ１０１において「０」が格納されているので、本刷り開始前の色合わせと判断し、ステップ３９６ａへ進む。ステップ３９６ａ以降の処理において、ＣＰＵ１０Ａは、本刷り開始前の許容値条件記憶用のメモリＭ２２の内容に従い、メモリＭ２４に格納されている本刷り開始前の第１の許容濃度差やメモリＭ２５に格納されている本刷り開始前の第２の許容濃度差を使用する。
【０１６９】
〔本刷り中の色合わせにおける許容濃度差の変更〕
本刷り中の色合わせ用の許容値条件記憶用メモリＭ２３には最初は「０」が格納されている。ステップ１１３ｂ（図６７）において、本刷り中の色合わせ用の許容値条件入力スイッチＳＷ４２を１回オンとすると、本刷り中の色合わせ用の許容値条件記憶用メモリＭ２３に「１」が格納される。本刷り中の色合わせ用の許容値条件入力スイッチＳＷ４２を２回オンとすると、本刷り中の色合わせ用の許容値条件記憶用メモリＭ２３に「２」が格納される。
【０１７０】
濃度測定用のスタートスイッチＳＷ２がオンとされると（ステップ１２０のＹＥＳ）、ＣＰＵ１０Ａは、図６８に示したステップ１２２〜１３５の処理を実行し、図６９に示すステップ２５２へ進む。ステップ２５２において、ＣＰＵ１０Ａは、印刷状態記憶用のメモリＭ１の内容を読み取る。ここで、ＣＰＵ１０Ａは、メモリＭ１に「０」が格納されていた場合（ステップ２５３のＮＯ）、本刷り開始前の色合わせと判断し、ステップ３９６ａへ進む。メモリＭ１に「１」が格納されていた場合（ステップ２５３のＹＥＳ）、本刷り中の色合わせと判断し、ステップ３９６ｂ（図７４）へ進む。
【０１７１】
本刷りを行う場合、オペレータは、印刷状態入力スイッチＳＷ１をオンとする（ステップ１０８のＹＥＳ）。これにより、印状状態記憶用のメモリＭ１には「１」が格納される。このため、ＣＰＵ１０Ａは、ステップ２５３において本刷り中の色合わせと判断し、ステップ３９６ｂへ進む。ステップ３９６ｂ以降の処理において、ＣＰＵ１０Ａは、本刷り中の許容値条件記憶用のメモリＭ２３の内容に従い、メモリＭ２６に格納されている本刷り中の第１の許容濃度差やメモリＭ２７に格納されている本刷り中の第２の許容濃度差を使用する。
【０１７２】
なお、上述した実施の形態１〜６では、許容濃度差の範囲を、第１の許容濃度差以下、第２の許容濃度差以下、第１の許容濃度差以下および第２の許容濃度差以上としたが、第１の許容濃度差より小さい範囲、第２の許容濃度差より小さい範囲、第１の許容濃度差より小さい範囲および第２の許容濃度差より大きい範囲とし、許容濃度差の範囲に第１の許容濃度差および第２の許容濃度差と同じ測定濃度差の絶対値を含まないようにしてもよい。本発明において、第１の許容濃度差より小さいとは、第１の許容濃度差以下の場合と第１の許容濃度差より小さい範囲の場合の両方を含む言葉として定義されるものである。また、第２の許容濃度差より小さいとは、第２の許容濃度差以下の場合と第２の許容濃度差より小さい範囲の場合の両方を含む言葉として定義されるものである。また、第２の許容濃度差より大きいとは、第２の許容濃度差以上の場合と第２の許容濃度差より大きい範囲の場合の両方を含む言葉として定義されるものである。
【０１７３】
また、上述した実施の形態１〜６では、測定濃度差と許容濃度差とを比較する場合、測定濃度差の絶対値を求め、その測定濃度差の絶対値と許容濃度差とを比較するようにしたが、許容濃度差そのものを上限の許容濃度差とすると共に、零から許容濃度差を減算した値を下限の許容濃度差とし、それら上限の許容濃度差および下限の許容濃度差と測定濃度差を比較するようにしてもよい。この場合、許容濃度差より小さい範囲は、測定濃度差が上限の許容濃度差と下限の許容濃度差との間にある場合になり、許容濃度差より大きい範囲は、測定濃度差が上限の許容濃度差より大きい又は下限の許容濃度差より小さい場合になる。本発明において、許容濃度差より小さいとは、この場合の許容濃度差より小さい範囲を含む言葉として定義されるものである。また、許容濃度差より大きいとは、この場合の許容濃度差より大きい範囲を含む言葉として定義されるものである。
【０１７４】
また、上述した実施の形態１および２では、測定濃度差が許容濃度差の範囲内にある場合、測定濃度差を零に書き替えているが、実施の形態３〜６のように、測定濃度差から求めたインキキーの開き量の基準の修正量を零に修正してもよい。同様に、上述した実施の形態３〜６では、測定濃度差が許容濃度差の範囲内にある場合、測定濃度差から求めたインキキーの開き量の基準の修正量を零に修正しているが、実施の形態１および２のように、インキキーの開き量の基準の修正量を求める前に、測定濃度値を零に書き替えてもよい。
【０１７５】
また、上述した実施の形態１〜６では、部分インキ供給部としてインキキーを備えたものを記載したが、特許文献２のように、部分インキ供給部として揺動ローラの軸方向に複数のインキ注出ノズルを備えたものを用いてもよい。
【０１７６】
また、上述した実施の形態１〜６において、本刷り開始前の色合わせか本刷り中の色合わせかは、例えば次のようにして判断する。
（１）所定のスイッチがオンとされフラグが立っている場合に、本刷り中の状態にあると判断する。
（２）正紙枚数をカウントするカウンタがオン状態にある場合に、本刷り中の状態にあると判断する。
（３）印刷機の回転速度が所定値（設定回転数）を超えている場合に、本刷り中の状態にあると判断する。
（４）前回測定した濃度値と今回測定した濃度値との濃度差の絶対値が所定値（設定濃度差）以下の場合に、本刷り中の状態にあると判断する。
【０１７７】
また、上述した実施の形態１〜６では、測色計からの測色データより濃度値を求めるようにしたが、測色計の代わりに濃度計を用いて直接濃度値を求めるようにしてもよい。また、インキキーの開き量の基準の修正量に係数（コントロールレシオ）を掛けてインキキーの開き量の修正値を得るようにしたが、変換テーブル（基準の修正量と修正量との関係を示す変換カーブ）を用いてインキキーの開き量の修正量を得るようにしてもよい。この場合、本刷り開始前の状態では、第１の変換テーブルを用いてインキキーの開き量の修正量を得るようにし、本刷り中の状態では、第１の変換テーブルとは異なる第２の変換テーブルを用いてインキキーの開き量の修正量を得るようにする。
【０１７８】
また、インキキーの開き量の基準の修正量に係数（コントロールレシオ）を掛けてインキキーの修正量を得る代わりに、本刷り開始前の状態の濃度差と修正量との関係を示す第１の変換テーブルと本刷り中の状態の濃度差と修正量との関係を示す第２の変換テーブルを設け、本刷り開始前の状態では第１の変換テーブルを用いて直接濃度差よりインキキーの開き量の修正量を得るようにし、本刷り中の状態では第２の変換テーブルを用いて直接濃度差よりインキキーの開き量の修正量を得るようにしてもよい。
【０１７９】
また、上述した実施の形態１〜６では、濃度値によって色合わせを行うようにしたが、濃度値を色彩値に置き換えても、同様にして色合わせを行うことができる。実施の形態１について言えば、図１に示したブロック図は、「濃度値」を「色彩値」、「濃度差」を「色差」と置き換えることによって、図８０に示すようなブロック図とされる。また、図５〜図１４に示したフローチャートは、「濃度値」を「色彩値」、「濃度差」を「色差」と置き換えることによって、図８１〜図８８に示すようなフローチャートとされる。同様に、実施の形態２の図１５〜図２６において「濃度値」を「色彩値」、「濃度差」を「色差」と置き換えた図を図８９〜図１００に、実施の形態３の図２７〜図３７において「濃度値」を「色彩値」、「濃度差」を「色差」と置き換えた図を図１０１〜図１１１に、 実施の形態４の図３８〜図５５において「濃度値」を「色彩値」、「濃度差」を「色差」と置き換えた図を図１１２〜図１２９に、実施の形態５の図５６〜図６４において「濃度値」を「色彩値」、「濃度差」を「色差」と置き換えた図を図１３３〜図１３８に、実施の形態６の図６５〜図７９において「濃度値」を「色彩値」、「濃度差」を「色差」と置き換えた図を図１３９〜図１５３に示す。
【０１８０】
この場合、ＣＰＵ１０Ａは、測色計１０Ｌによって採取された色データから濃度値ではなく、色彩値を求める。なお、色彩値とは、日本工業規格（ＪＩＳ規格）のＪＩＳＺ８７２９で規定され、国際照明委員会（ＣＩＥ）が推奨する色の表示方法であるＬ* ａ* ｂ* 表色系又はＬ* ｕ* ｖ* 表色系で表された「Ｌ* 値，ａ* 値，ｂ* 値」又は「Ｌ* 値，ｕ* 値，ｖ* 値」をいう。
【図面の簡単な説明】
【０１８１】
【図１】本発明の一実施の形態（実施の形態１）を示すインキ供給量調整装置のブロック図である。
【図２】このインキ供給量調整装置に接続されるインキキー制御装置のブロック図である。
【図３】このインキ供給量調整装置に接続されるインキツボローラ制御装置のブロック図である。
【図４】測色計の設置状況を示す側面図である。
【図５】実施の形態１のインキ供給量調整装置の処理動作を示すフローチャートである。
【図６】実施の形態１のインキ供給量調整装置の処理動作を示すフローチャートである。
【図７】実施の形態１のインキ供給量調整装置の処理動作を示すフローチャートである。
【図８】実施の形態１のインキ供給量調整装置の処理動作を示すフローチャートである。
【図９】実施の形態１のインキ供給量調整装置の処理動作を示すフローチャートである。
【図１０】実施の形態１のインキ供給量調整装置の処理動作を示すフローチャートである。
【図１１】実施の形態１のインキ供給量調整装置の処理動作を示すフローチャートである。
【図１２】実施の形態１のインキ供給量調整装置の処理動作を示すフローチャートである。
【図１３】インキツボローラ制御装置での処理動作を示すフローチャートである。
【図１４】インキキー制御装置での処理動作を示すフローチャートである。
【図１５】本発明の他の実施の形態（実施の形態２）を示すインキ供給量調整装置のブロック図である。
【図１６】実施の形態２のインキ供給量調整装置の処理動作を示すフローチャートである。
【図１７】実施の形態２のインキ供給量調整装置の処理動作を示すフローチャートである。
【図１８】実施の形態２のインキ供給量調整装置の処理動作を示すフローチャートである。
【図１９】実施の形態２のインキ供給量調整装置の処理動作を示すフローチャートである。
【図２０】実施の形態２のインキ供給量調整装置の処理動作を示すフローチャートである。
【図２１】実施の形態２のインキ供給量調整装置の処理動作を示すフローチャートである。
【図２２】実施の形態２のインキ供給量調整装置の処理動作を示すフローチャートである。
【図２３】実施の形態２のインキ供給量調整装置の処理動作を示すフローチャートである。
【図２４】実施の形態２のインキ供給量調整装置の処理動作を示すフローチャートである。
【図２５】実施の形態２のインキ供給量調整装置の処理動作を示すフローチャートである。
【０１８２】
【図２６】実施の形態２のインキ供給量調整装置の処理動作を示すフローチャートである。
【図２７】本発明の他の実施の形態（実施の形態３）を示すインキ供給量調整装置のブロック図である。
【図２８】実施の形態３のインキ供給量調整装置の処理動作を示すフローチャートである。
【図２９】実施の形態３のインキ供給量調整装置の処理動作を示すフローチャートである。
【図３０】実施の形態３のインキ供給量調整装置の処理動作を示すフローチャートである。
【図３１】実施の形態３のインキ供給量調整装置の処理動作を示すフローチャートである。
【図３２】実施の形態３のインキ供給量調整装置の処理動作を示すフローチャートである。
【図３３】実施の形態３のインキ供給量調整装置の処理動作を示すフローチャートである。
【図３４】実施の形態３のインキ供給量調整装置の処理動作を示すフローチャートである。
【図３５】実施の形態３のインキ供給量調整装置の処理動作を示すフローチャートである。
【図３６】実施の形態３のインキ供給量調整装置の処理動作を示すフローチャートである。
【図３７】実施の形態３のインキ供給量調整装置の処理動作を示すフローチャートである。
【図３８】本発明の他の実施の形態（実施の形態４）を示すインキ供給量調整装置のブロック図である。
【図３９】実施の形態４のインキ供給量調整装置の処理動作を示すフローチャートである。
【図４０】実施の形態４のインキ供給量調整装置の処理動作を示すフローチャートである。
【図４１】実施の形態４のインキ供給量調整装置の処理動作を示すフローチャートである。
【図４２】実施の形態４のインキ供給量調整装置の処理動作を示すフローチャートである。
【図４３】実施の形態４のインキ供給量調整装置の処理動作を示すフローチャートである。
【図４４】実施の形態４のインキ供給量調整装置の処理動作を示すフローチャートである。
【図４５】実施の形態４のインキ供給量調整装置の処理動作を示すフローチャートである。
【図４６】実施の形態４のインキ供給量調整装置の処理動作を示すフローチャートである。
【図４７】実施の形態４のインキ供給量調整装置の処理動作を示すフローチャートである。
【図４８】実施の形態４のインキ供給量調整装置の処理動作を示すフローチャートである。
【図４９】実施の形態４のインキ供給量調整装置の処理動作を示すフローチャートである。
【図５０】実施の形態４のインキ供給量調整装置の処理動作を示すフローチャートである。
【０１８３】
【図５１】実施の形態４のインキ供給量調整装置の処理動作を示すフローチャートである。
【図５２】実施の形態４のインキ供給量調整装置の処理動作を示すフローチャートである。
【図５３】実施の形態４のインキ供給量調整装置の処理動作を示すフローチャートである。
【図５４】実施の形態４のインキ供給量調整装置の処理動作を示すフローチャートである。
【図５５】実施の形態４のインキ供給量調整装置の処理動作を示すフローチャートである。
【図５６】本発明の他の実施の形態（実施の形態５）を示すインキ供給量調整装置のブロック図である。
【図５７】実施の形態５のインキ供給量調整装置の処理動作を示すフローチャートである。
【図５８】実施の形態５のインキ供給量調整装置の処理動作を示すフローチャートである。
【図５９】実施の形態５のインキ供給量調整装置の処理動作を示すフローチャートである。
【図６０】実施の形態５のインキ供給量調整装置の処理動作を示すフローチャートである。
【図６１】実施の形態５のインキ供給量調整装置の処理動作を示すフローチャートである。
【図６２】実施の形態５のインキ供給量調整装置の処理動作を示すフローチャートである。
【図６３】実施の形態５のインキ供給量調整装置の処理動作を示すフローチャートである。
【図６４】実施の形態５のインキ供給量調整装置の処理動作を示すフローチャートである。
【図６５】本発明の他の実施の形態（実施の形態６）を示すインキ供給量調整装置のブロック図である。
【図６６】実施の形態６のインキ供給量調整装置の処理動作を示すフローチャートである。
【図６７】実施の形態６のインキ供給量調整装置の処理動作を示すフローチャートである。
【図６８】実施の形態６のインキ供給量調整装置の処理動作を示すフローチャートである。
【図６９】実施の形態６のインキ供給量調整装置の処理動作を示すフローチャートである。
【図７０】実施の形態６のインキ供給量調整装置の処理動作を示すフローチャートである。
【図７１】実施の形態６のインキ供給量調整装置の処理動作を示すフローチャートである。
【図７２】実施の形態６のインキ供給量調整装置の処理動作を示すフローチャートである。
【図７３】実施の形態６のインキ供給量調整装置の処理動作を示すフローチャートである。
【図７４】実施の形態６のインキ供給量調整装置の処理動作を示すフローチャートである。
【図７５】実施の形態６のインキ供給量調整装置の処理動作を示すフローチャートである。
【０１８４】
【図７６】実施の形態６のインキ供給量調整装置の処理動作を示すフローチャートである。
【図７７】実施の形態６のインキ供給量調整装置の処理動作を示すフローチャートである。
【図７８】実施の形態６のインキ供給量調整装置の処理動作を示すフローチャートである。
【図７９】実施の形態６のインキ供給量調整装置の処理動作を示すフローチャートである。
【図８０】「濃度値」を「色彩値」、「濃度差」を「色差」に置き換えた場合の実施の形態１に対応するインキ供給量調整装置のブロック図である。
【図８１】「濃度値」を「色彩値」、「濃度差」を「色差」に置き換えた場合の実施の形態１に対応するインキ供給量調整装置の処理動作を示すフローチャートである。
【図８２】「濃度値」を「色彩値」、「濃度差」を「色差」に置き換えた場合の実施の形態１に対応するインキ供給量調整装置の処理動作を示すフローチャートである。
【図８３】「濃度値」を「色彩値」、「濃度差」を「色差」に置き換えた場合の実施の形態１に対応するインキ供給量調整装置の処理動作を示すフローチャートである。
【図８４】「濃度値」を「色彩値」、「濃度差」を「色差」に置き換えた場合の実施の形態１に対応するインキ供給量調整装置の処理動作を示すフローチャートである。
【図８５】「濃度値」を「色彩値」、「濃度差」を「色差」に置き換えた場合の実施の形態１に対応するインキ供給量調整装置の処理動作を示すフローチャートである。
【図８６】「濃度値」を「色彩値」、「濃度差」を「色差」に置き換えた場合の実施の形態１に対応するインキ供給量調整装置の処理動作を示すフローチャートである。
【図８７】「濃度値」を「色彩値」、「濃度差」を「色差」に置き換えた場合の実施の形態１に対応するインキ供給量調整装置の処理動作を示すフローチャートである。
【図８８】「濃度値」を「色彩値」、「濃度差」を「色差」に置き換えた場合の実施の形態１に対応するインキ供給量調整装置の処理動作を示すフローチャートである。
【図８９】「濃度値」を「色彩値」、「濃度差」を「色差」に置き換えた場合の実施の形態２に対応するインキ供給量調整装置のブロック図である。
【図９０】「濃度値」を「色彩値」、「濃度差」を「色差」に置き換えた場合の実施の形態２に対応するインキ供給量調整装置の処理動作を示すフローチャートである。
【図９１】「濃度値」を「色彩値」、「濃度差」を「色差」に置き換えた場合の実施の形態２に対応するインキ供給量調整装置の処理動作を示すフローチャートである。
【図９２】「濃度値」を「色彩値」、「濃度差」を「色差」に置き換えた場合の実施の形態２に対応するインキ供給量調整装置の処理動作を示すフローチャートである。
【図９３】「濃度値」を「色彩値」、「濃度差」を「色差」に置き換えた場合の実施の形態２に対応するインキ供給量調整装置の処理動作を示すフローチャートである。
【図９４】「濃度値」を「色彩値」、「濃度差」を「色差」に置き換えた場合の実施の形態２に対応するインキ供給量調整装置の処理動作を示すフローチャートである。
【図９５】「濃度値」を「色彩値」、「濃度差」を「色差」に置き換えた場合の実施の形態２に対応するインキ供給量調整装置の処理動作を示すフローチャートである。
【図９６】「濃度値」を「色彩値」、「濃度差」を「色差」に置き換えた場合の実施の形態２に対応するインキ供給量調整装置の処理動作を示すフローチャートである。
【図９７】「濃度値」を「色彩値」、「濃度差」を「色差」に置き換えた場合の実施の形態２に対応するインキ供給量調整装置の処理動作を示すフローチャートである。
【図９８】「濃度値」を「色彩値」、「濃度差」を「色差」に置き換えた場合の実施の形態２に対応するインキ供給量調整装置の処理動作を示すフローチャートである。
【図９９】「濃度値」を「色彩値」、「濃度差」を「色差」に置き換えた場合の実施の形態２に対応するインキ供給量調整装置の処理動作を示すフローチャートである。
【図１００】「濃度値」を「色彩値」、「濃度差」を「色差」に置き換えた場合の実施の形態２に対応するインキ供給量調整装置の処理動作を示すフローチャートである。
【０１８５】
【図１０１】「濃度値」を「色彩値」、「濃度差」を「色差」に置き換えた場合の実施の形態３に対応するインキ供給量調整装置のブロック図である。
【図１０２】「濃度値」を「色彩値」、「濃度差」を「色差」に置き換えた場合の実施の形態３に対応するインキ供給量調整装置の処理動作を示すフローチャートである。
【図１０３】「濃度値」を「色彩値」、「濃度差」を「色差」に置き換えた場合の実施の形態３に対応するインキ供給量調整装置の処理動作を示すフローチャートである。
【図１０４】「濃度値」を「色彩値」、「濃度差」を「色差」に置き換えた場合の実施の形態３に対応するインキ供給量調整装置の処理動作を示すフローチャートである。
【図１０５】「濃度値」を「色彩値」、「濃度差」を「色差」に置き換えた場合の実施の形態３に対応するインキ供給量調整装置の処理動作を示すフローチャートである。
【図１０６】「濃度値」を「色彩値」、「濃度差」を「色差」に置き換えた場合の実施の形態３に対応するインキ供給量調整装置の処理動作を示すフローチャートである。
【図１０７】「濃度値」を「色彩値」、「濃度差」を「色差」に置き換えた場合の実施の形態３に対応するインキ供給量調整装置の処理動作を示すフローチャートである。
【図１０８】「濃度値」を「色彩値」、「濃度差」を「色差」に置き換えた場合の実施の形態３に対応するインキ供給量調整装置の処理動作を示すフローチャートである。
【図１０９】「濃度値」を「色彩値」、「濃度差」を「色差」に置き換えた場合の実施の形態３に対応するインキ供給量調整装置の処理動作を示すフローチャートである。
【図１１０】「濃度値」を「色彩値」、「濃度差」を「色差」に置き換えた場合の実施の形態３に対応するインキ供給量調整装置の処理動作を示すフローチャートである。
【図１１１】「濃度値」を「色彩値」、「濃度差」を「色差」に置き換えた場合の実施の形態３に対応するインキ供給量調整装置の処理動作を示すフローチャートである。
【図１１２】「濃度値」を「色彩値」、「濃度差」を「色差」に置き換えた場合の実施の形態４に対応するインキ供給量調整装置のブロック図である。
【図１１３】「濃度値」を「色彩値」、「濃度差」を「色差」に置き換えた場合の実施の形態４に対応するインキ供給量調整装置の処理動作を示すフローチャートである。
【図１１４】「濃度値」を「色彩値」、「濃度差」を「色差」に置き換えた場合の実施の形態４に対応するインキ供給量調整装置の処理動作を示すフローチャートである。
【図１１５】「濃度値」を「色彩値」、「濃度差」を「色差」に置き換えた場合の実施の形態４に対応するインキ供給量調整装置の処理動作を示すフローチャートである。
【図１１６】「濃度値」を「色彩値」、「濃度差」を「色差」に置き換えた場合の実施の形態４に対応するインキ供給量調整装置の処理動作を示すフローチャートである。
【図１１７】「濃度値」を「色彩値」、「濃度差」を「色差」に置き換えた場合の実施の形態４に対応するインキ供給量調整装置の処理動作を示すフローチャートである。
【図１１８】「濃度値」を「色彩値」、「濃度差」を「色差」に置き換えた場合の実施の形態４に対応するインキ供給量調整装置の処理動作を示すフローチャートである。
【図１１９】「濃度値」を「色彩値」、「濃度差」を「色差」に置き換えた場合の実施の形態４に対応するインキ供給量調整装置の処理動作を示すフローチャートである。
【図１２０】「濃度値」を「色彩値」、「濃度差」を「色差」に置き換えた場合の実施の形態４に対応するインキ供給量調整装置の処理動作を示すフローチャートである。
【図１２１】「濃度値」を「色彩値」、「濃度差」を「色差」に置き換えた場合の実施の形態４に対応するインキ供給量調整装置の処理動作を示すフローチャートである。
【図１２２】「濃度値」を「色彩値」、「濃度差」を「色差」に置き換えた場合の実施の形態４に対応するインキ供給量調整装置の処理動作を示すフローチャートである。
【図１２３】「濃度値」を「色彩値」、「濃度差」を「色差」に置き換えた場合の実施の形態４に対応するインキ供給量調整装置の処理動作を示すフローチャートである。
【図１２４】「濃度値」を「色彩値」、「濃度差」を「色差」に置き換えた場合の実施の形態４に対応するインキ供給量調整装置の処理動作を示すフローチャートである。
【図１２５】「濃度値」を「色彩値」、「濃度差」を「色差」に置き換えた場合の実施の形態４に対応するインキ供給量調整装置の処理動作を示すフローチャートである。
【０１８６】
【図１２６】「濃度値」を「色彩値」、「濃度差」を「色差」に置き換えた場合の実施の形態４に対応するインキ供給量調整装置の処理動作を示すフローチャートである。
【図１２７】「濃度値」を「色彩値」、「濃度差」を「色差」に置き換えた場合の実施の形態４に対応するインキ供給量調整装置の処理動作を示すフローチャートである。
【図１２８】「濃度値」を「色彩値」、「濃度差」を「色差」に置き換えた場合の実施の形態４に対応するインキ供給量調整装置の処理動作を示すフローチャートである。
【図１２９】「濃度値」を「色彩値」、「濃度差」を「色差」に置き換えた場合の実施の形態４に対応するインキ供給量調整装置の処理動作を示すフローチャートである。
【図１３０】「濃度値」を「色彩値」、「濃度差」を「色差」に置き換えた場合の実施の形態５に対応するインキ供給量調整装置のブロック図である。
【図１３１】「濃度値」を「色彩値」、「濃度差」を「色差」に置き換えた場合の実施の形態５に対応するインキ供給量調整装置の処理動作を示すフローチャートである。
【図１３２】「濃度値」を「色彩値」、「濃度差」を「色差」に置き換えた場合の実施の形態５に対応するインキ供給量調整装置の処理動作を示すフローチャートである。
【図１３３】「濃度値」を「色彩値」、「濃度差」を「色差」に置き換えた場合の実施の形態５に対応するインキ供給量調整装置の処理動作を示すフローチャートである。
【図１３４】「濃度値」を「色彩値」、「濃度差」を「色差」に置き換えた場合の実施の形態５に対応するインキ供給量調整装置の処理動作を示すフローチャートである。
【図１３５】「濃度値」を「色彩値」、「濃度差」を「色差」に置き換えた場合の実施の形態５に対応するインキ供給量調整装置の処理動作を示すフローチャートである。
【図１３６】「濃度値」を「色彩値」、「濃度差」を「色差」に置き換えた場合の実施の形態５に対応するインキ供給量調整装置の処理動作を示すフローチャートである。
【図１３７】「濃度値」を「色彩値」、「濃度差」を「色差」に置き換えた場合の実施の形態５に対応するインキ供給量調整装置の処理動作を示すフローチャートである。
【図１３８】「濃度値」を「色彩値」、「濃度差」を「色差」に置き換えた場合の実施の形態５に対応するインキ供給量調整装置の処理動作を示すフローチャートである。
【図１３９】「濃度値」を「色彩値」、「濃度差」を「色差」に置き換えた場合の実施の形態６に対応するインキ供給量調整装置のブロック図である。
【図１４０】「濃度値」を「色彩値」、「濃度差」を「色差」に置き換えた場合の実施の形態６に対応するインキ供給量調整装置の処理動作を示すフローチャートである。
【図１４１】「濃度値」を「色彩値」、「濃度差」を「色差」に置き換えた場合の実施の形態６に対応するインキ供給量調整装置の処理動作を示すフローチャートである。
【図１４２】「濃度値」を「色彩値」、「濃度差」を「色差」に置き換えた場合の実施の形態６に対応するインキ供給量調整装置の処理動作を示すフローチャートである。
【図１４３】「濃度値」を「色彩値」、「濃度差」を「色差」に置き換えた場合の実施の形態６に対応するインキ供給量調整装置の処理動作を示すフローチャートである。
【図１４４】「濃度値」を「色彩値」、「濃度差」を「色差」に置き換えた場合の実施の形態６に対応するインキ供給量調整装置の処理動作を示すフローチャートである。
【図１４５】「濃度値」を「色彩値」、「濃度差」を「色差」に置き換えた場合の実施の形態６に対応するインキ供給量調整装置の処理動作を示すフローチャートである。
【図１４６】「濃度値」を「色彩値」、「濃度差」を「色差」に置き換えた場合の実施の形態６に対応するインキ供給量調整装置の処理動作を示すフローチャートである。
【図１４７】「濃度値」を「色彩値」、「濃度差」を「色差」に置き換えた場合の実施の形態６に対応するインキ供給量調整装置の処理動作を示すフローチャートである。
【図１４８】「濃度値」を「色彩値」、「濃度差」を「色差」に置き換えた場合の実施の形態６に対応するインキ供給量調整装置の処理動作を示すフローチャートである。
【図１４９】「濃度値」を「色彩値」、「濃度差」を「色差」に置き換えた場合の実施の形態６に対応するインキ供給量調整装置の処理動作を示すフローチャートである。
【図１５０】「濃度値」を「色彩値」、「濃度差」を「色差」に置き換えた場合の実施の形態６に対応するインキ供給量調整装置の処理動作を示すフローチャートである。
【図１５１】「濃度値」を「色彩値」、「濃度差」を「色差」に置き換えた場合の実施の形態６に対応するインキ供給量調整装置の処理動作を示すフローチャートである。
【図１５２】「濃度値」を「色彩値」、「濃度差」を「色差」に置き換えた場合の実施の形態６に対応するインキ供給量調整装置の処理動作を示すフローチャートである。
【図１５３】「濃度値」を「色彩値」、「濃度差」を「色差」に置き換えた場合の実施の形態６に対応するインキ供給量調整装置の処理動作を示すフローチャートである。
【図１５４】輪転印刷機における各色の印刷ユニット内のインキ供給装置の要部を示す図である。
【図１５５】印刷機により印刷された印刷物の概略を示す平面図である。
【符号の説明】
【０１８７】
１…インキツボ、２…インキ、３…インキツボローラ、４（４−１〜４−ｎ）…インキキー、５…インキ移しローラ、６…インキローラ群、７…刷版、８…版胴、９…印刷物、９−２…カラーバー、９ａ（９ａ１，９ａ２，９ａ３，９ａ４）…濃度測定用のパッチ、１０…インキ供給量調整装置、１０Ａ…ＣＰＵ、１０Ｂ…ＲＡＭ、１０Ｃ…ＲＯＭ、１０Ｄ…入力装置、ＳＷ１…印刷状態入力スイッチ、ＳＷ２…濃度測定用のスタートスイッチ、ＳＷ３…制御終了スイッチ、ＳＷ４…許容値条件入力スイッチ、ＳＷ４１…本刷り開始前の許容値条件入力スイッチ、ＳＷ４２…本刷り中の許容値条件入力スイッチ、１０Ｌ…測色計、Ｍ１〜Ｍ２８…メモリ、１１…インキキー制御装置、１２…インキツボローラ制御装置。
【図１】
2006116753.tif 000003
【図２】
2006116753.tif 000004
【図３】
2006116753.tif 000005
【図４】
2006116753.tif 000006
【図５】
2006116753.tif 000007
【図６】
2006116753.tif 000008
【図７】
2006116753.tif 000009
【図８】
2006116753.tif 000010
【図９】
2006116753.tif 000011
【図１０】
2006116753.tif 000012
【図１１】
2006116753.tif 000013
【図１２】
2006116753.tif 000014
【図１３】
2006116753.tif 000015
【図１４】
2006116753.tif 000016
【図１５】
2006116753.tif 000017
【図１６】
2006116753.tif 000018
【図１７】
2006116753.tif 000019
【図１８】
2006116753.tif 000020
【図１９】
2006116753.tif 000021
【図２０】
2006116753.tif 000022
【図２１】
2006116753.tif 000023
【図２２】
2006116753.tif 000024
【図２３】
2006116753.tif 000025
【図２４】
2006116753.tif 000026
【図２５】
2006116753.tif 000027
【図２６】
2006116753.tif 000028
【図２７】
2006116753.tif 000029
【図２８】
2006116753.tif 000030
【図２９】
2006116753.tif 000031
【図３０】
2006116753.tif 000032
【図３１】
2006116753.tif 000033
【図３２】
2006116753.tif 000034
【図３３】
2006116753.tif 000035
【図３４】
2006116753.tif 000036
【図３５】
2006116753.tif 000037
【図３６】
2006116753.tif 000038
【図３７】
2006116753.tif 000039
【図３８】
2006116753.tif 000040
【図３９】
2006116753.tif 000041
【図４０】
2006116753.tif 000042
【図４１】
2006116753.tif 000043
【図４２】
2006116753.tif 000044
【図４３】
2006116753.tif 000045
【図４４】
2006116753.tif 000046
【図４５】
2006116753.tif 000047
【図４６】
2006116753.tif 000048
【図４７】
2006116753.tif 000049
【図４８】
2006116753.tif 000050
【図４９】
2006116753.tif 000051
【図５０】
2006116753.tif 000052
【図５１】
2006116753.tif 000053
【図５２】
2006116753.tif 000054
【図５３】
2006116753.tif 000055
【図５４】
2006116753.tif 000056
【図５５】
2006116753.tif 000057
【図５６】
2006116753.tif 000058
【図５７】
2006116753.tif 000059
【図５８】
2006116753.tif 000060
【図５９】
2006116753.tif 000061
【図６０】
2006116753.tif 000062
【図６１】
2006116753.tif 000063
【図６２】
2006116753.tif 000064
【図６３】
2006116753.tif 000065
【図６４】
2006116753.tif 000066
【図６５】
2006116753.tif 000067
【図６６】
2006116753.tif 000068
【図６７】
2006116753.tif 000069
【図６８】
2006116753.tif 000070
【図６９】
2006116753.tif 000071
【図７０】
2006116753.tif 000072
【図７１】
2006116753.tif 000073
【図７２】
2006116753.tif 000074
【図７３】
2006116753.tif 000075
【図７４】
2006116753.tif 000076
【図７５】
2006116753.tif 000077
【図７６】
2006116753.tif 000078
【図７７】
2006116753.tif 000079
【図７８】
2006116753.tif 000080
【図７９】
2006116753.tif 000081
【図８０】
2006116753.tif 000082
【図８１】
2006116753.tif 000083
【図８２】
2006116753.tif 000084
【図８３】
2006116753.tif 000085
【図８４】
2006116753.tif 000086
【図８５】
2006116753.tif 000087
【図８６】
2006116753.tif 000088
【図８７】
2006116753.tif 000089
【図８８】
2006116753.tif 000090
【図８９】
2006116753.tif 000091
【図９０】
2006116753.tif 000092
【図９１】
2006116753.tif 000093
【図９２】
2006116753.tif 000094
【図９３】
2006116753.tif 000095
【図９４】
2006116753.tif 000096
【図９５】
2006116753.tif 000097
【図９６】
2006116753.tif 000098
【図９７】
2006116753.tif 000099
【図９８】
2006116753.tif 000100
【図９９】
2006116753.tif 000101
【図１００】
2006116753.tif 000102
【図１０１】
2006116753.tif 000103
【図１０２】
2006116753.tif 000104
【図１０３】
2006116753.tif 000105
【図１０４】
2006116753.tif 000106
【図１０５】
2006116753.tif 000107
【図１０６】
2006116753.tif 000108
【図１０７】
2006116753.tif 000109
【図１０８】
2006116753.tif 000110
【図１０９】
2006116753.tif 000111
【図１１０】
2006116753.tif 000112
【図１１１】
2006116753.tif 000113
【図１１２】
2006116753.tif 000114
【図１１３】
2006116753.tif 000115
【図１１４】
2006116753.tif 000116
【図１１５】
2006116753.tif 000117
【図１１６】
2006116753.tif 000118
【図１１７】
2006116753.tif 000119
【図１１８】
2006116753.tif 000120
【図１１９】
2006116753.tif 000121
【図１２０】
2006116753.tif 000122
【図１２１】
2006116753.tif 000123
【図１２２】
2006116753.tif 000124
【図１２３】
2006116753.tif 000125
【図１２４】
2006116753.tif 000126
【図１２５】
2006116753.tif 000127
【図１２６】
2006116753.tif 000128
【図１２７】
2006116753.tif 000129
【図１２８】
2006116753.tif 000130
【図１２９】
2006116753.tif 000131
【図１３０】
2006116753.tif 000132
【図１３１】
2006116753.tif 000133
【図１３２】
2006116753.tif 000134
【図１３３】
2006116753.tif 000135
【図１３４】
2006116753.tif 000136
【図１３５】
2006116753.tif 000137
【図１３６】
2006116753.tif 000138
【図１３７】
2006116753.tif 000139
【図１３８】
2006116753.tif 000140
【図１３９】
2006116753.tif 000141
【図１４０】
2006116753.tif 000142
【図１４１】
2006116753.tif 000143
【図１４２】
2006116753.tif 000144
【図１４３】
2006116753.tif 000145
【図１４４】
2006116753.tif 000146
【図１４５】
2006116753.tif 000147
【図１４６】
2006116753.tif 000148
【図１４７】
2006116753.tif 000149
【図１４８】
2006116753.tif 000150
【図１４９】
2006116753.tif 000151
【図１５０】
2006116753.tif 000152
【図１５１】
2006116753.tif 000153
【図１５２】
2006116753.tif 000154
【図１５３】
2006116753.tif 000155
【図１５４】
2006116753.tif 000156
【図１５５】
2006116753.tif 000157